(57)【要約】  本開示は、センサネットワーク（Ｓｅｎｓｏｒ  Ｎｅｔｗｏｒｋ）、マシンツーマシン（Ｍａｃｈｉｎｅ  ｔｏ  Ｍａｃｈｉｎｅ、Ｍ２Ｍ）、ＭＴＣ（Ｍａｃｈｉｎｅ  Ｔｙｐｅ  Ｃｏｍｍｕｎｉｃａｔｉｏｎ）及びモノのインターネット（Ｉｎｔｅｒｎｅｔ  ｏｆ  Ｔｈｉｎｇｓ、ＩｏＴ）のための技術に関する。本開示は、上記技術に基づく知能型サービス（スマートホーム、スマートビルディング、スマートシティ、スマートカー又はコネックテッドカー、ヘルスケア、デジタル教育、小売業、セキュリティ及び安全関連サービス等）に活用されることができる。本開示は、無線通信システムにおける電子装置設置装置及び方法に関し、第１電子装置の動作方法は、前記第１電子装置の位置情報を獲得する過程、前記第１電子装置の周辺に位置する第３電子装置とペアリングを行う第２電子装置をペアリングモードで動作させるために前記第１電子装置の位置情報をシステム制御機に伝送する過程を含む。
2019507998.tif 000002
【特許請求の範囲】
【請求項１】
システム制御機の動作方法であって、
第１電子装置から前記第１電子装置の位置情報を受信する過程と、
前記第１電子装置の位置情報に基づいて前記第１電子装置の周辺に位置する第３電子装置とペアリングを行う第２電子装置を決定する過程と、
前記決定された第２電子装置にペアリングモード動作を要求する信号を伝送する過程と、を含む方法。
【請求項２】
前記第１電子装置から前記第３電子装置の識別情報を受信する過程と、
前記第２電子装置が前記第３電子装置を識別するようにするために前記第３電子装置の識別情報を前記第２電子装置に伝送する過程と、をさらに含み、
前記識別情報はＰＩＮ（Ｐｅｒｓｏｎａｌ  Ｉｄｅｎｔｉｆｉｃａｔｉｏｎ  Ｎｕｍｂｅｒ）、ＭＡＣ（Ｍｅｄｉｕｍ  Ａｃｃｅｓｓ  Ｃｏｎｔｒｏｌ）アドレス、ＱＲコード（登録商標）（Ｑｕｉｃｋ  Ｒｅｓｐｏｎｓｅ  Ｃｏｄｅ）、及びシリアルナンバーのうち少なくとも１つを含む請求項１に記載の方法。
【請求項３】
前記第１電子装置の位置情報に基づいて前記第１電子装置の周辺に位置する第３電子装置とペアリングを行う第２電子装置を決定する過程は、
前記第１電子装置の位置情報に基づいて多数の第２電子装置のうち前記第１電子装置の位置に最も近接した第２電子装置を決定する過程を含む請求項１に記載の方法。
【請求項４】
前記第２電子装置からペアリングされた前記第３電子装置の識別情報を含むペアリング完了報告メッセージを受信する過程と、
互いに異なる位置情報に対応する多数の第３電子装置のうち前記第１電子装置の位置に最も近接した第３電子装置を識別する過程 と、  前記第２電子装置から受信された識別情報を前記識別された第３電子装置の識別情報として登録する過程と、
前記第３電子装置の識別情報及び前記第３電子装置の位置情報を含む登録メッセージを前記第１電子装置に伝送する過程と、をさらに含む請求項１に記載の方法。
【請求項５】
前記登録メッセージは前記第３電子装置とペアリングされた第２電子装置の情報をさらに含む請求項４に記載の方法。
【請求項６】
前記第１電子装置から前記第１電子装置の高さ情報を受信する過程 と、
前記互いに異なる位置情報に対応する多数の第３電子装置のうち前記第１電子装置の位置に最も近接した第３電子装置を識別する過程と、
前記第１電子装置の位置情報及び高さ情報に基づいて、前記互いに異なる位置情報に対応する多数の第３電子装置のうち１つの第３電子装置を識別する過程と、をさらに含む請求項４に記載の方法。
【請求項７】
第１電子装置の動作方法であって、
前記第１電子装置の位置情報を獲得する過程と、
前記第１電子装置の周辺に位置する第３電子装置とペアリングを行う第２電子装置をペアリングモードで動作させるために前記第１電子装置の位置情報をシステム制御機に伝送する過程と、を含む方法。
【請求項８】
前記第３電子装置の識別情報を獲得する過程と、
前記第２電子装置が前記第３電子装置を識別するようにするために前記得られた識別情報を前記システム制御機に伝送する過程と、をさらに含み、
前記識別情報はＰＩＮ（Ｐｅｒｓｏｎａｌ  Ｉｄｅｎｔｉｆｉｃａｔｉｏｎ  Ｎｕｍｂｅｒ）、ＭＡＣ（Ｍｅｄｉｕｍ  Ａｃｃｅｓｓ  Ｃｏｎｔｒｏｌ）アドレス、ＱＲコード（登録商標）（Ｑｕｉｃｋ  Ｒｅｓｐｏｎｓｅ  Ｃｏｄｅ）、及びシリアルナンバーのうち少なくとも１つを含む請求項７に記載の方法。
【請求項９】
前記第１電子装置の高さ情報を獲得する過程と、
前記第２電子装置又は前記システム制御機が前記第３電子装置を識別するようにするために前記第１電子装置の高さ情報を前記システム制御機に伝送する過程と、をさらに含む請求項７に記載の方法。
【請求項１０】
前記システム制御機から前記第３電子装置の識別情報及び位置情報を含むメッセージを受信する過程 と、
互いに異なる位置情報に対応する多数の第３電子装置のうち前記受信された位置情報に対応する前記第３電子装置に前記受信された識別情報をマッピングして記憶する過程と、
前記多数の第３電子装置が設置された位置を示す図面上に前記第３電子装置の識別情報とともに前記第３電子装置のペアリングが完了したことを表示する過程と、をさらに含む請求項７に記載の方法。
【請求項１１】
前記メッセージは前記第３電子装置とペアリングされた第２電子装置の情報をさらに含み、
前記第２電子装置の情報に基づいて前記図面上に前記第２電子装置とペアリングされた第２電子装置を表示する過程をさらに含む請求項１０に記載の方法。
【請求項１２】
前記第１電子装置の位置情報をシステム制御機に伝送する過程 と、
前記システム制御機から前記位置情報に対応する第２電子装置の識別情報を含む第１信号を受信する過程と、
前記第２電子装置に前記識別情報を含む第２信号を伝送する過程と、をさらに含む請求項７に記載の方法。
【請求項１３】
前記第２電子装置及び前記システム制御機のうちいずれか１つから第２電子装置の識別情報が登録されたことを示す信号が受信されたか否かを判定する過程と、
前記識別情報が登録されたことを示す信号が受信されるまで、前記第２電子装置に前記識別情報を周期的に伝送する過程と、をさらに含む請求項１２に記載の方法。
【請求項１４】
システム制御機であって、
通信部と、
プロセッサと、を含み、
前記プロセッサは請求項１乃至６のうちいずれか一項に記載の動作を行うように具現されたシステム制御機。
【請求項１５】
第１電子装置であって、
通信部と、
プロセッサと、を含み、
前記プロセッサは請求項７乃至１３のうちいずれか一項に記載の動作を行うように具現された第１電子装置。
【発明の詳細な説明】
【技術分野】
【０００１】
本開示は、無線通信システムで機器を設置するための装置及び方法に関する。
【背景技術】
【０００２】
インターネットは、人間が情報を生成して消費する人間中心の連結網から、事物などの分散された構成要素の間で情報を交換して処理するＩｏＴ（Ｉｎｔｅｒｎｅｔ  ｏｆ  Ｔｈｉｎｇｓ、モノのインターネット）網に進化している。クラウドサーバなどとの接続によるビッグデータ（Ｂｉｇ  ｄａｔａ）処理技術などがＩｏＴ技術に結合されたＩｏＥ（Ｉｎｔｅｒｎｅｔ  ｏｆ  Ｅｖｅｒｙｔｈｉｎｇ）技術も台頭している。ＩｏＴを具現するために、センシング技術、有無線通信及びネットワークインフラ、サービスインタフェース技術、及びセキュリティ技術のような技術要素が求められ、最近ではモノ同士の接続のためのセンサネットワーク（ｓｅｎｓｏｒ  ｎｅｔｗｏｒｋ）、マシンツーマシン（Ｍａｃｈｉｎｅ  ｔｏ  Ｍａｃｈｉｎｅ、Ｍ２Ｍ）、ＭＴＣ（Ｍａｃｈｉｎｅ  Ｔｙｐｅ  Ｃｏｍｍｕｎｉｃａｔｉｏｎ）等の技術が研究されている。
【０００３】
ＩｏＴ環境では接続されたモノから生成されたデータを収集・分析して人間の生活に新たな価値を創出する知能型ＩＴ（Ｉｎｔｅｒｎｅｔ  Ｔｅｃｈｎｏｌｏｇｙ）サービスが提供されることができる。ＩｏＴは従来のＩＴ（ｉｎｆｏｒｍａｔｉｏｎ  ｔｅｃｈｎｏｌｏｇｙ）技術と様々な産業の間の融合及び複合によってスマートホーム、スマートビルディング、スマートシティ、スマートカー又はコネックテッドカー、スマートグリッド、ヘルスケア、スマート家電、先端医療サービスなどの分野に応用されることができる。
【０００４】
一例として、特定領域又は建物内に設置された多数のセンサとゲートウェイを接続して通信する方式への関心が急増している。多数のセンサとゲートウェイの間の通信のためには、多数のセンサの各々とゲートウェイの間のペアリング（ｐａｉｒｉｎｇ）が行われなければならない。通常、ＷｉＦｉをサポートするゲートウェイは別途のペアリングモードへの切り替えなしで、センサ機器を感知してペアリング手順を行うことができる。しかし、ジグビー（Ｚｉｇｂｅｅ）、ブルートゥース（登録商標、以下同じ）、又はＺウェーブ（Ｚ−ｗａｖｅ）などをサポートするゲートウェイはペアリング手順を行うために、ペアリングモードへの動作切り替えを必要とする。例えば、ジグビーをサポートするゲートウェイは、ユーザによってペアリングモードへの切り替えのためのキーボタン、又はメニューボタンが押された場合、所定時間の間ペアリングモードで動作することができ、ペアリングモードで動作する所定時間の間にセンサ機器を感知してペアリング手順を行う。ここで、ジグビーをサポートするゲートウェイは、ペアリングモード切り替えボタンが押された時点から所定時間が経過すると、ペアリングモードから再び一般モードに切り替えられる。例えば、図１は、従来の技術によってジグビー、ブルートゥース、又はＺウェーブをサポートする多数のセンサとゲートウェイのペアリング方式を示す。図１に示すように、多数のゲートウェイ１００−１乃至１００−Ｎ、及び多数のセンサ１０１−１乃至１００−Ｎが存在する状況で、多数のゲートウェイ１００−１乃至１００−Ｎの各々は、ユーザの入力が発生する前はペアリングをサポートしない一般モードで動作するため、自らとペアリングを行うべきセンサ機器が存在するか否かを感知できない。したがって、ユーザはセンサ１０１−２を設置した後、センサ１０１−２をゲートウェイ１００−１とペアリングさせるために、図１に示すように、ゲートウェイ１００−１とセンサ１０１−２に具備されたペアリングモード切り替えボタンを直接押さなければならない。ゲートウェイ１００−１及びセンサ１０１−２の各々は、ペアリングモード切り替えボタンがユーザによって選択されることが感知されると、ペアリングモードに切り替えることによって互いを感知してペアリングを行うことができる。しかし、このような方式は、ユーザが多数のセンサ１０１−１乃至１０１−Ｎの各々を設置する度に、多数のセンサ１０１−１乃至１０１−Ｎの各々のペアリングボタンと該当ゲートウェイ１００−１乃至１００−Ｎのペアリングボタンを直接選択しなければならない不便がある。また、ゲートウェイ１００−１乃至１００−Ｎがユーザが接近しにくい位置（例：建物の天井等）に設置されている場合、ユーザは多数のセンサ１０１−１乃至１０１−Ｎの各々を設置する度にゲートウェイ１００の位置のため、ペアリングボタンを選択することによってより大きな不便を感じるようになる。また、従来の方式は、多数のゲートウェイ１００−１乃至１００−Ｎが存在する状況で、各センサ１０１−１乃至１０１−Ｎがどのゲートウェイとペアリングされた方が効率的であるかをユーザが判断することが難しい問題点がある。また、従来の方式は、ユーザがセンサとゲートウェイを直接選択するため、多数のゲートウェイが存在する状況でユーザがセンサとペアリングするゲートウェイを誤って認識する場合があり、この場合、セキュリティに問題が生じ得る。
【発明の概要】
【発明が解決しようとする課題】
【０００５】
一実施形態は、無線通信システムで機器を設置する際、端末の位置情報に基づいて機器とペアリングするゲートウェイを選択するための装置及び方法を提供する。
【０００６】
他の実施形態は、無線通信システムで端末によって獲得される機器識別情報に基づいて機器とゲートウェイの間のペアリング手順を行うことによって、セキュリティ性を向上させるための装置及び方法を提供する。
【０００７】
さらに他の実施形態は、無線通信システムのゲートウェイで端末によって獲得される機器に対する追加情報に基づいて、機器を制御するための装置及び方法を提供する。
【０００８】
さらに他の実施形態は、無線通信システムで端末の位置情報に基づいて機器の登録を容易にするための装置及び方法を提供する。
【課題を解決するための手段】
【０００９】
一実施形態によれば、第１電子装置の動作方法は、前記第１電子装置の位置情報を獲得する過程、及び前記第１電子装置の周辺に位置する第３電子装置とペアリングを行う第２電子装置をペアリングモードで動作させるために前記第１電子装置の位置情報をシステム制御機に伝送する過程を含む。
【００１０】
一実施形態によれば、システム制御機の動作方法は、第１電子装置から前記第１電子装置の位置情報を受信する過程、前記第１電子装置の位置情報に基づいて前記第１電子装置の周辺に位置する第３電子装置とペアリングを行う第２電子装置を決定する過程、及び前記決定された第２電子装置にペアリングモード動作を要求する信号を伝送する過程を含む。
【００１１】
一実施形態によれば、第２電子装置の動作方法は、システム制御機からペアリングモードでの動作を要求する信号を受信する過程、前記ペアリングモードでの動作を要求する信号が受信されたことに対する応答として、ペアリングモードに切り替える過程、及び少なくとも１つの第３電子装置とペアリング手順を行う過程を含む。
【００１２】
一実施形態によれば、電子装置の動作方法は、第１電子装置の位置情報をシステム制御機に伝送する過程、前記システム制御機から前記位置情報に対応する第２電子装置の識別情報を含む第１信号を受信する過程、及び前記第２電子装置に前記識別情報を含む第２信号を伝送する過程を含む。
【００１３】
一実施形態によれば、システム制御機の方法は、第１電子装置から位置情報を受信する過程、多数の第２電子装置のうち前記受信された位置情報に対応する第２電子装置の識別情報を含む信号を前記第１電子装置に伝送する過程、及び前記第２電子装置から前記識別情報の登録が完了したことを示す信号を受信する過程を含む。
【００１４】
一実施形態によれば、第２電子装置の動作方法は、第１電子装置から識別情報を含む信号を受信する過程、前記識別情報を前記第２電子装置の識別情報として登録する過程、及びシステム制御機に前記識別情報の登録が完了したことを示す信号を伝送する過程を含む。
【００１５】
一実施形態によれば、第１電子装置は、通信部、及びプロセッサを含み、前記プロセッサは、第１電子装置の位置情報を獲得し、前記第１電子装置の周辺に位置する第３電子装置とペアリングを行う第２電子装置をペアリングモードで動作させるために前記第１電子装置の位置情報をシステム制御機に伝送するように制御する。
【００１６】
一実施形態によれば、システム制御機は、通信部、及びプロセッサを含み、前記プロセッサは、第１電子装置から前記第１電子装置の位置情報を受信し、前記第１電子装置の位置情報に基づいて前記第１電子装置の周辺に位置する第３電子装置とペアリングを行う第２電子装置を決定し、前記決定された第２電子装置にペアリングモード動作を要求する信号を伝送するように制御する。
【００１７】
一実施形態によれば、第２電子装置は、通信部、及びプロセッサを含み、前記プロセッサは、システム制御機からペアリングモードでの動作を要求する信号を受信し、前記ペアリングモードでの動作を要求する信号が受信されたことに対する応答として、ペアリングモードに切り替え、少なくとも１つの第３電子装置とペアリング手順を行うように制御する。
【００１８】
一実施形態によれば、第１電子装置は、通信部、及びプロセッサを含み、前記プロセッサは、第１電子装置の位置情報をシステム制御機に伝送し、前記システム制御機から前記位置情報に対応する第２電子装置の識別情報を含む第１信号を受信し、前記第２電子装置に前記識別情報を含む第２信号を伝送するように制御する。
【００１９】
一実施形態によれば、システム制御機は、通信部、及びプロセッサを含み、前記プロセッサは、第１電子装置から位置情報を受信し、多数の第２電子装置のうち前記受信された位置情報に対応する第２電子装置の識別情報を含む信号を前記第１電子装置に伝送し、前記第２電子装置から前記識別情報の登録が完了したことを示す信号を受信するように制御する。
【００２０】
一実施形態によれば、第２電子装置は、通信部、及びプロセッサを含み、前記プロセッサは、第１電子装置から識別情報を含む信号を受信し、前記識別情報を前記第２電子装置の識別情報に登録し、前記システム制御機に前記識別情報の登録が完了したことを示す信号を伝送するように制御する。
【発明の効果】
【００２１】
無線通信システムでシステム制御機が端末の位置情報に基づいて機器とペアリングするゲートウェイを選択し、選択されたゲートウェイがペアリング手順を行うように制御することによって、ユーザ（又は管理者）がゲートウェイのペアリングボタンを直接選択しなければならない方式に比べてユーザの便宜性を向上させることができる。また、システム制御機が端末から機器識別情報を獲得し、ゲートウェイに識別情報に対応する機器とペアリングを行うように要求することによって、セキュリティ性を向上させることができる。また、ゲートウェイで端末から機器に関連づけられた追加情報を獲得し、得られた追加情報に基づいて各機器を效率的に制御できる。
【図面の簡単な説明】
【００２２】
【図１】従来の技術によってジグビー、ブルートゥース、又はＺウェーブをサポートする多数のセンサ機器とゲートウェイのペアリング方式を示す図である。
【図２】実施形態による無線通信システムの構成を示す図である。
【図３】実施形態による無線通信システムにおけるセンサ機器とゲートウェイのペアリングモードへの進入のための手順を示す図である。
【図４】一実施形態による無線通信システムにおけるセンサ機器とゲートウェイのペアリング手順を示す図である。
【図５Ａ】一実施形態による無線通信システムにおけるゲートウェイがセンサ機器情報を獲得する手順を示す図である。
【図５Ｂ】実施形態による無線通信システムにおけるセンサ機器の登録のための手順を示す図である。
【図６】実施形態による無線通信システムにおける端末の動作手順を示すフローチャートである。
【図７】一実施形態による無線通信システムにおけるシステム制御機の動作手順を示すフローチャートである。
【図８】一実施形態による無線通信システムにおけるゲートウェイの動作手順を示すフローチャートである。
【図９】一実施形態による無線通信システムにおけるゲートウェイとセンサ機器のペアリング手順を示す図である。
【図１０】他の実施形態による無線通信システムにおけるセンサ機器を登録する手順を示す図である。
【図１１】他の実施形態による無線通信システムにおける端末の動作手順を示すフローチャートである。
【図１２】他の実施形態による無線通信システムにおけるシステム制御機の動作手順を示すフローチャートである。
【図１３】他の実施形態による無線通信システムにおけるセンサ機器の動作手順を示すフローチャートである。
【図１４】多様な実施形態による無線通信システムにおける端末のブロック構成を示す図である。
【図１５】多様な実施形態による無線通信システムにおけるシステム制御機のブロック構成を示す図である。
【図１６】多様な実施形態による無線通信システムにおけるゲートウェイのブロック構成を示す図である。
【図１７】多様な実施形態による無線通信システムにおけるセンサ機器のブロック構成を示す図である。
【図１８】多様な実施形態による無線通信システムにおける空調機器のブロック構成を示す図である。
【発明を実施するための形態】
【００２３】
以下、添付された図面を参照して多様な実施形態の動作原理を詳細に説明する。以下、多様な実施形態を説明するにあたって、関連の公知機能又は構成についての具体的な説明が発明の要旨を不必要に曖昧にする可能性があると判断された場合はその詳細な説明を省略する。そして、後述の用語らは多様な実施形態での機能を考慮して定義された用語であって、これはユーザ、運用者の意図又は慣例などによって異なる場合がある。したがって、その定義は本明細書全般にわたる内容に基づいて下されるべきである。
【００２４】
以下、本開示は、無線通信システムで機器を設置する際、機器の通信のための手順を容易に行うための技術について説明する。
【００２５】
以下の説明で用いられる制御情報を示す用語、状態変化を示す用語（例：イベント（ｅｖｅｎｔ））、ネットワークエンティティ（ｎｅｔｗｏｒｋ  ｅｎｔｉｔｙ）を示す用語、メッセージら又は信号を示す用語、装置の構成要素を示す用語などは説明の便宜のために例示されたものである。したがって、本発明は後述の用語らに限定されるものではなく、同等な技術的意味を有する他の用語が用いられることもできる。
【００２６】
多様な実施形態で、端末は携帯用電子装置（ｐｏｒｔａｂｌｅ  ｅｌｅｃｔｒｏｎｉｃ  ｄｅｖｉｃｅ）であって、携帯用電子装置は、スマートフォン（ｓｍａｒｔ  ｐｈｏｎｅ）、携帯端末（ｐｏｒｔａｂｌｅ  ｔｅｒｍｉｎａｌ）、移動電話（ｍｏｂｉｌｅ  ｐｈｏｎｅ）、モバイルパッド（ｍｏｂｉｌｅ  ｐａｄ）、メディアプレーヤ（ｍｅｄｉａ  ｐｌａｙｅｒ）、タブレットコンピュータ（ｔａｂｌｅｔ  ｃｏｍｐｕｔｅｒ）、ハンドヘルドコンピュータ（ｈａｎｄｈｅｌｄ  ｃｏｍｐｕｔｅｒ）又はＰＤＡ（Ｐｅｒｓｏｎａｌ  Ｄｉｇｉｔａｌ  Ａｓｓｉｓｔａｎｔ）のうち１つであることができる。また、端末は上述の装置のうち２つ以上の機能を結合した装置であることができる。
【００２７】
また、以下の実施形態らで、センサ機器は少なくとも１つのセンサを含むとともに、他の電子装置とのペアリングを必要とする電子機器を意味する場合がある。例えば、センサ機器は、温度センサ、湿度センサ、人体動作感知センサ、照明センサなどを含む電子機器であることができる。また、センサ機器はセンサと称することができる。以下の実施形態らは、センサ機器に限定されず、ペアリングが可能な多様な形態の電子機器に適用されることができる。また、以下の実施形態で、空調機器は、温度、湿度などを適切な条件に維持させるための電子機器で、他の電子装置とのペアリングを必要としない電子機器を意味できる。例えば、空調機器は、暖房機器、冷房機器、電熱交換機などであることができる。
【００２８】
図２は、実施形態による無線通信システムの構成を図示する。
【００２９】
図２を参照すると、無線通信システムは、多数のゲートウェイ２００−１乃至２００−Ｎ、多数のセンサ機器２０１−１乃至２０１−Ｎ、システム制御機２１０、及び端末２２０を含んで構成されることができる。
【００３０】
ゲートウェイ２００は、少なくとも１つのセンサ機器２０１とペアリングを行うことによって、ペアリングされた少なくとも１つのセンサ機器２０１と通信できる。ここで、ゲートウェイ２００は、多数のゲートウェイ２００−１乃至２００−Ｎのうちいずれか１つであることができる。また、センサ機器２０１は、多数のセンサ機器２０１−１乃至２０１−Ｎのうちいずれか１つであることができる。
【００３１】
ゲートウェイ２００は、ＡＰ（Ａｃｃｅｓｓ  Ｐｏｉｎｔ）、センサＡＰ、統合ＡＰ、センサ制御機、又は通信機器などと称することができる。ゲートウェイ２００は、実施形態によって、システム制御機２１０の制御によってペアリングモード（Ｐａｉｒｉｎｇ  Ｍｏｄｅ）に切り替えることによって、１つのセンサ機器２０１とペアリング手順を行うことができる。例えば、ゲートウェイ２００は、下記図９に示すペアリング手順を行うことができる。ここで、ペアリングモードは、ペアリング手順を行うためにペアリング要求信号を伝送するか、又はペアリング要求信号の受信が可能な状態を意味できる。また、ゲートウェイ２００は、実施形態によって、システム制御機２１０からセンサ識別情報を受信し、受信されたセンサ識別情報に対応するセンサ機器２０１とペアリング手順を行うことができる。また、ゲートウェイ２００は、実施形態によって、ペアリング手順の際にシステム制御機２１０からセンサ機器２０１に関連付けられた追加情報を受信し、ペアリングされた少なくとも１つのセンサ機器２０１を追加情報に基づいて制御できる。例えば、第１ゲートウェイ２００−１は、第１センサ機器２０１−１の高さ情報が０ｍで、第２センサ機器２０１−２の高さ情報が２ｍであることを示す情報を獲得し、第１センサ機器２０１−１と第２センサ機器２０１−２の高さの差を基に第１センサ機器２０１−１と第２センサ機器２０１−２に対する制御情報を生成できる。ここで、高さ情報は、基準位置から該当センサ機器が設置された位置を示す高度情報であることができる。また、ゲートウェイ２００は、実施形態によって、ペアリング手順の際に得られたセンサ機器の識別情報をシステム制御機２１０に伝送できる。例えば、第１ゲートウェイ２００−１は、第１センサ機器２０１−１とペアリング手順を行った後、ペアリング手順の際にセンサ機器２０１−１に割り当てられたＩＤ（ｉｄｅｎｔｉｆｉｅｒ）をシステム制御機２１０に伝送できる。
【００３２】
センサ機器２０１は、少なくとも１つのゲートウェイ２００とペアリングを行うことによって、ペアリングされた少なくとも１つのゲートウェイ２００と通信できる。センサ機器２０１は、ユーザによってペアリングモードに進入できる。ここで、ユーザはセンサ機器２０１に対する管理者、又は設置者を含む意味である。例えば、センサ機器２０１は、ユーザによってペアリングモードへの進入のためのイベントが発生したことが感知された場合、ペアリングモードに進入できる。ここで、ペアリングモードへの進入のためのイベントは、物理的なボタンが入力されるか、又はソフトウェア的なメニュー項目が選択されることを含むことができる。実施形態によって、センサ機器２０１は、識別情報を伝送できる。例えば、センサ機器２０１は、近距離無線通信技術（例：ＮＦＣ（Ｎｅａｒ  Ｆｉｅｌｄ  Ｃｏｍｍｕｎｉｃａｔｉｏｎ））によって端末２２０に識別情報を伝送できる。また、実施形態によって、センサ機器２０１は、ゲートウェイ２００とのペアリング手順を行う時、ゲートウェイ２００から自らの識別情報を獲得し、得られた識別情報に対する登録手順を行うことができる。例えば、センサ機器２０１は、下記図９に示すペアリング手順を行うことができる。また、センサ機器２０１は、ペアリングされたゲートウェイの制御信号に基づいて動作できる。
【００３３】
システム制御機２１０は、ゲートウェイ２００、センサ機器２０１、及び端末２２０のうち少なくとも１つと通信できる。システム制御機２１０は、ＡＰ制御機、ゲートウェイ制御機、又はサーバなどと称することができる。実施形態によって、システム制御機２１０は、端末２２０から位置情報を受信し、受信された位置情報に基づいて多数のゲートウェイ２００−１乃至２００−Ｎのうち１つのゲートウェイ２００を決定できる。システム制御機２１０は、決定されたゲートウェイにペアリングモードへの進入を要求する信号を伝送できる。また、システム制御機２１０は、端末２２０から多数のセンサ機器２０１−１乃至２０１−Ｎのうち少なくとも１つのセンサ機器２０１に対する情報を獲得し、得られた情報を決定されたゲートウェイに伝送できる。センサ機器２０１に対する情報は、センサ機器の識別情報、及びセンサ機器に対する追加情報（例：高さ情報）を含むことができる。また、システム制御機２１０は、ゲートウェイ２００からゲートウェイ２００とペアリングされたセンサ機器の識別情報を受信することができる。システム制御機２１０は、センサ機器の位置情報を予め記憶することができ、予め記憶されたセンサ機器の位置情報に基づいて端末２２０から受信された位置情報に最も近いセンサ機器を決定する。システム制御機２１０は、端末２２０から受信された位置情報に最も近いセンサ機器にゲートウェイ２００から受信された識別情報を割り当てることができる。ここで、システム制御機２１０は、センサ機器２０１−１乃至２０１−Ｎの設置位置、又は配置情報を含む電子図面を予め記憶することができる。
【００３４】
また、図示していないが、他の実施形態によって、システム制御機２１０は、端末２２０の位置情報に基づいて空調機器（図示せず）の識別情報を検索し、検索された空調機器の識別情報を端末２２０に伝送できる。また、他の実施形態によって、システム制御機２１０は、空調機器から空調機器の識別情報が該空調機器に登録されたことを示す信号を受信することができる。また、他の実施形態によって、システム制御機２１０は、空調機器の識別情報が登録されたことを示す信号を端末２２０に伝送できる。
【００３５】
端末２２０は、ユーザの制御によってセンサ機器２０１とゲートウェイ２００の間のペアリングのために必要な各種情報をシステム制御機２１０に伝送する。例えば、端末２２０は、ユーザ制御によってセンサ機器管理モードへ進む時、端末２２０の位置情報を周期的に獲得し、得られた情報をシステム制御機２１０に伝送する。また、端末２２０は、ゲートウェイとペアリングを行うセンサ機器２０１に対する識別情報を獲得し、得られた識別情報をシステム制御機２１０に伝送する。ここで、センサ機器２０１に対する識別情報は、端末２２０に具備されたカメラによって撮影される画像から獲得したり、近距離無線通信技術によって獲得できる。また、端末２２０は、ゲートウェイ２００とペアリングを行うセンサ機器２０１に対する追加情報を獲得し、得られた追加情報をシステム制御機２１０に伝送する。例えば、端末２２０は、気圧計によってセンサ機器２０１に対する高さ情報を獲得し、得られた高さ情報をシステム制御機２１０に伝送できる。
【００３６】
また、他の実施形態によって、端末２２０は、端末２２０の位置情報をシステム制御機２１０に伝送し、これに対する応答としてシステム制御機２１０から空調機器（図示せず）の識別情報を獲得できる。他の実施形態によって、端末２２０は、得られた空調機器の識別情報を空調機器に伝送できる。この時、端末２２０は、ビームフォーミング通信技術、又はＩＲ（ｉｎｆｒａｒｅｄ  ｒａｙ）通信技術を用いて特定位置の空調機器に空調機器の識別情報を伝送できる。他の実施形態によって、端末２２０は、システム制御機２１０又は空調機器から識別情報が登録されたことを示す情報を受信することができる。また、端末２２０は、識別情報を伝送した後、識別情報が登録されたことを示す情報が受信されるまで、空調機器に空調機器の識別情報を伝送する動作を繰り返し行うことができる。また、端末２２０は、識別情報が登録されたことを示す情報が受信された場合、空調機器の識別情報が登録されたことをユーザに知らせるためにグラフィック効果を表示したり、メッセージを表示したり、音声信号を出力したり、又は振動を発生させることができる。
【００３７】
図３は、実施形態による無線通信システムにおけるセンサ機器とゲートウェイのペアリングモードへの進入のための手順を図示する。ここでは、ユーザが第１センサ機器２０１−１、及び第２センサ機器２０１−２を設置する場合を仮定して説明する。下記の実施形態で各ステップは必ずしも順に行われるものではない。例えば、各ステップの順序が変更されることもでき、少なくとも２つのステップが並列的に行われることもできる。
【００３８】
図３を参照すると、ステップ３１０にて、端末２２０は、ユーザ入力によって管理モードに進入して動作し、管理モードで動作する間に端末２２０の位置情報を周期的に獲得する。ここで、管理モードは、設置されるセンサ機器とゲートウェイのうち少なくとも１つの状態を制御するためのモードを意味できる。例えば、管理モードは、センサ機器を他の機器（ゲートウェイ、又はシステム制御機）と通信できる状態に切り替えるためのモードを意味できる。端末２２０は、画面に表示された管理モード進入アイコン（又はメニュー項目）が選択されたか、管理モードへの進入のための特定キーボタンが入力された場合、管理モードに進入できる。また、端末２２０は、端末２２０に含まれた位置情報受信装置を用いて端末２２０の位置情報を周期的に獲得できる。
【００３９】
ステップ３１２にて、端末２２０は、端末の位置情報をシステム制御機２１０に伝送する。ここで、端末２２０は、管理モードで動作する間に端末の位置情報を周期的にシステム制御機２１０に伝送できる。
【００４０】
ステップ３１４にて、システム制御機２１０は、端末２２０から受信された位置情報に基づいて端末２２０から最も近い位置にあるゲートウェイを決定する。例えば、システム制御機２１０は、予め記憶された多数のゲートウェイ２００−１乃至２００−Ｎの各々の位置情報と端末の位置情報とを比較することによって、多数のゲートウェイ２００−１乃至２００−Ｎのうち端末２２０と最も近い位置にあるゲートウェイ２００を決定する。ここでは、説明の便宜のために、第１ゲートウェイ２００−１が端末と最も近い位置に存在すると仮定する。ステップ３１６にて、システム制御機２１０は、端末２２０から最も近い位置にある第１ゲートウェイ２００−１にペアリングモードへの変更を要求する。例えば、システム制御機２１０は、第１ゲートウェイ２００−１に少なくとも１つのセンサ機器とペアリング手順を行うためにペアリングモードに進入することを要求できる。さらに、システム制御機２１０は、端末２２０から受信された位置情報が変更されたかを判定し、位置情報が変更されなかった場合は、ステップ３１４及びステップ３１６を省略できる。例えば、システム制御機２１０は、以前の時点に端末２２０から受信された位置情報と現在時点に端末２２０から受信された位置情報が同じ場合、ステップ３１４及びステップ３１６を省略できる。
【００４１】
ステップ３１８にて、第１ゲートウェイ２００−１は、システム制御機２１０の要求に応じてペアリングモードに変更する。ペアリングモードで動作する第１ゲートウェイ２００−１は、ペアリング要求信号を伝送するか、又はペアリング要求信号が受信されたか否かを感知できる。また、ステップ３２０にて、第１センサ機器２０１−１、及び第２センサ機器２０１−２は、ユーザ制御によってペアリングモードに進入する。例えば、第１センサ機器２０１−１、及び第２センサ機器２０１−２の各々は、ペアリングモード進入キーボタンの入力が感知された場合、ペアリングモードに進入し、ペアリング要求信号を伝送するか、又はペアリング要求信号が受信されたか否かを感知できる。これによって、ステップ３２２にて、第１センサ機器２０１−１と第２センサ機器２０１−２の各々は、第１ゲートウェイ２００−１とペアリング手順を行うことができる。ここで、ペアリング手順は下記図９に示すように行うことができる。
【００４２】
上記図３に示すように、システム制御機２１０で端末２２０の位置情報に基づいてゲートウェイを決定することによって、ユーザが直接ゲートウェイを選択する必要がないので、ユーザによってゲートウェイが誤って選択されることを防止できる。また、システム制御機２１０で端末２２０の位置情報に対応するゲートウェイにペアリングモードへの切り替えを要求することによって、ユーザが接近性の低いゲートウェイに直接接近してペアリングモードボタンを選択する必要がない。
【００４３】
以下、図４で説明される実施形態は、図３のステップ３２２にて生じ得るセキュリティ性の問題を除去するためのものである。例えば、図３のステップ３２０にて第１ゲートウェイ２００−１がペアリングモードに進入した時、第１センサ機器２０１−１、及び第２センサ機器２０１−２以外にペアリングモードに進入した他の機器が存在する場合、第１ゲートウェイ２００−１は、ユーザの意図と異なって他の機器とペアリングを行う場合がある。したがって、以下、図４では第１ゲートウェイ２００−１がペアリングモードに進入した時、ユーザが意図しない他の機器とペアリングを行うことを防止するための実施形態に対して説明する。
【００４４】
図４は、一実施形態による無線通信システムにおけるセンサ機器とゲートウェイのペアリング手順を図示する。
【００４５】
図４を参照すると、ステップ４１０にて、第１センサ機器２０１−１、第２センサ機器２０１−２、及び第１ゲートウェイ２００−１は、ペアリングモードに進入して動作する。例えば、第１センサ機器２０１−１、第２センサ機器２０１−２、及び第１ゲートウェイ２００−１は、図３の実施形態によってペアリングモードに進入できる。他の例として、第１センサ機器２０１−１、第２センサ機器２０１−２、及び第１ゲートウェイ２００−１の各々は、ペアリングモードへの進入のためのキーボタンの入力を感知して、ペアリングモードに進入できる。
【００４６】
ステップ４１２にて、端末２２０は、ユーザ制御によってセンサ識別情報を獲得する。ここで、端末２２０は、管理モードで動作できる。例えば、端末２２０は、ユーザ制御によってカメラを駆動させ、駆動されたカメラによって撮影される画像から第１センサ機器２０１−１の識別情報を獲得できる。さらに他の例として、端末２２０は、近距離無線通信技術（例：ＮＦＣ（Ｎｅａｒ  Ｆｉｅｌｄ  Ｃｏｍｍｕｎｉｃａｔｉｏｎ）、ＲＦＩＤ（ｒａｄｉｏ  ｆｒｅｑｕｅｎｃｙ  ｉｄｅｎｔｉｆｉｃａｔｉｏｎ）等）をサポートする近距離無線通信モジュールを駆動させ、近距離無線通信モジュールを介して第１センサ機器２０１−１の識別情報を獲得できる。ここで、センサ機器の識別情報は、ＰＩＮ（Ｐｅｒｓｏｎａｌ  Ｉｄｅｎｔｉｆｉｃａｔｉｏｎ  Ｎｕｍｂｅｒ）、ＭＡＣ（Ｍｅｄｉｕｍ  Ａｃｃｅｓｓ  Ｃｏｎｔｒｏｌ）アドレス、ＱＲコード（登録商標）（Ｑｕｉｃｋ  Ｒｅｓｐｏｎｓｅ  Ｃｏｄｅ）、シリアルナンバーなどのようなセンサ機器に対する固有識別情報であることができる。
【００４７】
ステップ４１４にて、端末２２０は、得られたセンサ識別情報をシステム制御機２１０に伝送する。実施形態によって、端末２２０は、センサ識別情報と現在端末の位置情報を共に伝送できる。
【００４８】
ステップ４１６にて、システム制御機２１０は、センサ識別情報を含むペアリング命令メッセージを第１ゲートウェイ２００−１に伝送する。実施形態によって、システム制御機２１０は、端末２２０からセンサ識別情報と端末の位置情報が共に受信された場合、端末２２０の位置情報に基づいてセンサ識別情報を伝送するゲートウェイを決定できる。一方、端末２２０からセンサ識別情報のみが受信された場合、システム制御機２１０は、該端末２２０から以前に得られた端末の位置情報に基づいてセンサ識別情報を伝送するゲートウェイを決定できる。
【００４９】
ステップ４１８にて、第１ゲートウェイ２００−１は、受信されたセンサ識別情報に対応する第１センサ機器２０１−１をスキャンし、スキャンされた第１センサ機器２０１−１とペアリングを行う。ここで、第１ゲートウェイ２００−１が受信されたセンサ識別情報に基づいてペアリングを行うために、第１センサ機器２０１−１とペアリングを行うことができる。例えば、第１ゲートウェイ２００−１は、下記図９に示すように、第１センサ機器２０１−１とペアリング手順を行うことができる。一方、第１ゲートウェイ２００−１は、第２センサ機器２０１−２とはペアリングを行わない。換言すれば、第１ゲートウェイ２００−１は、システム制御機２１０から第１センサ機器２０１−１の識別情報を受信したので、第１センサ機器２０１−１がユーザによって認証された機器であると判断し、第１センサ機器２０１−１とペアリングを行う。一方、第１ゲートウェイ２００−１は、システム制御機２１０から第２センサ機器２０１−２の識別情報を受信できなかったので、第２センサ機器２０１−２がユーザによって認証されなかった機器であると判断し、第２センサ機器２０１−２とペアリングを行わない。
【００５０】
上記図４では、第１センサ機器２０１−１、第２センサ機器２０１−２、及び第１ゲートウェイ２００−１がペアリングモードに進入した後、端末２２０が第１センサ機器２０１−１の識別情報を獲得し、得られた識別情報をシステム制御機２１０を介して第１ゲートウェイ２００−１に伝送する方式に対して説明した。しかし、実施形態によって、第１センサ機器２０１−１、第２センサ機器２０１−２、及び第１ゲートウェイ２００−１がペアリングモードに進入する以前に、端末２２０が第１センサ機器２０１−１の識別情報を獲得し、得られた識別情報をシステム制御機２１０を介して第１ゲートウェイ２００−１に伝送できる。例えば、端末２２０は、第１センサ機器２０１−１、第２センサ機器２０１−２、及び第１ゲートウェイ２００−１がペアリングモードに進入する以前に、端末の位置情報と識別情報を共にシステム制御機２１０に伝送できる。この場合、システム制御機２１０は、第１ゲートウェイ２００−１にペアリングモードへの変更を要求しながら、センサ機器２０１−１の識別情報を共に伝送できる。
【００５１】
上述のように、端末２２０が第１ゲートウェイ２００−１とペアリングされる第１センサ機器２０１−１の識別情報を獲得し、得られた識別情報を、システム制御機２１０を介して第１ゲートウェイ２００−１に伝送することによって、第１ゲートウェイ２００−１が他の機器とペアリングする状況を防止して、セキュリティ性を向上させることができる。
【００５２】
以下、図５Ａで説明される実施形態は、上記図３及び図４に説明されたペアリング手順の際にセンサ機器と関連づけられた追加情報を獲得するためのものである。
【００５３】
図５Ａは、一実施形態による無線通信システムにおけるゲートウェイがセンサ機器情報を獲得する手順を図示する。
【００５４】
図５Ａを参照すると、ステップ５００にて、端末２２０は、第１センサ機器２０１−１、及び第２センサ機器２０１−２の高さ情報を獲得できる。例えば、端末２２０は、第１センサ機器２０１−１の位置で端末２２０に含まれた気圧計によって気圧情報を獲得し、得られた気圧情報に基づいて第１センサ機器に対する高さ情報を獲得できる。また、端末２２０は、第２センサ機器２０１−２の位置で端末２２０に含まれた気圧計によって気圧情報を獲得し、得られた気圧情報に基づいて第２センサ機器に対する高さ情報を獲得できる。ここで、端末２２０は、第１センサ機器２０１−１、及び第２センサ機器２０１−２の各々に対する高さ情報を獲得する際、該センサ機器と実質的に同じ高度に位置しなければならない。
【００５５】
ステップ５０２にて、端末２２０は、第１センサ機器２０１−１、及び第２センサ機器２０１−２の高さ情報をシステム制御機２１０に伝送する。実施形態によって、第１センサ機器２０１−１、及び第２センサ機器２０１−２の高さ情報は図３のステップ３１２にて端末の位置情報とともに伝送されるか、又は図４のステップ４１４にてセンサ識別情報とともに伝送されることができる。また、実施形態によって、第１センサ機器２０１−１、及び第２センサ機器２０１−２の高さ情報は、第１センサ機器２０１−１、及び第２センサ機器２０１−２の各々が第１ゲートウェイ２００−１とペアリング手順を完了した後に伝送されることもできる。
【００５６】
ステップ５０４にて、システム制御機２１０は端末２２０から受信されたセンサ高さ情報を第１ゲートウェイ２００−１に伝送する。実施形態によって、第１センサ機器２０１−１、及び第２センサ機器２０１−２の高さ情報は、図３のステップ３１６のペアリングモード変更要求信号に含まれて伝送されるか、又は図４のステップ４１６にてペアリング命令メッセージに含まれて伝送されることができる。また、実施形態によって、第１センサ機器２０１−１、及び第２センサ機器２０１−２の高さ情報は、第１センサ機器２０１−１、及び第２センサ機器２０１−２の各々が第１ゲートウェイ２００−１とペアリング手順を完了した後に伝送されることもできる。
【００５７】
ゲートウェイ２００−１は、第１センサ機器２０１−１、及び第２センサ機器２０１−２の高さ情報を受信することができる。実施形態によって、ゲートウェイ２００−１は、第１センサ機器２０１−１、及び第２センサ機器２０１−２とペアリング手順を行った後、第１センサ機器２０１−１、及び第２センサ機器２０１−２の高さ情報に基づいて第１センサ機器２０１−１、及び第２センサ機器２０１−２を制御するための制御情報を生成できる。例えば、ゲートウェイ２００−１は、第１センサ機器２０１−１、及び第２センサ機器２０１−２の高さ情報に基づいて第１センサ機器２０１−１、及び第２センサ機器２０１−２に対して互いに異なる制御情報を含む制御信号を生成できる。より具体的には、第１センサ機器２０１−１、及び第２センサ機器２０１−２が温度を制御するセンサ機器であって、同じ領域に位置するが、高さ情報が互いに異なる場合、第１センサ機器２０１−１には周辺温度が２５度になるように動作するように命令信号を伝送し、第２センサ機器２０１−２には周辺温度が２３度になるように動作するように命令信号を伝送できる。
【００５８】
また、実施形態によって、システム制御機２１０が端末２２０から得られた位置情報と第１センサ機器２０１−１、及び第２センサ機器２０１−２の高さ情報に基づいて第１センサ機器２０１−１、及び第２センサ機器２０１−２の位置を３Ｄ図面上に表現できる。
【００５９】
上述の説明では、端末２２０が第１センサ機器２０１−１、及び第２センサ機器２０１−２の高さ情報を獲得し、得られた高さ情報を伝送することに対して説明したが、これは例示であるので、本開示の実施形態は高さ情報に制限されない。例えば、端末２２０が端末２２０に具備された構成要素（例：通信モジュール、センサ等）を介して第１センサ機器２０１−１、及び第２センサ機器２０１−２と関連して獲得可能な追加情報に同様に適用されることができる。
【００６０】
加えて、上記図３乃至図５Ｂで、ゲートウェイ２００は、ペアリングモードへの進入完了及び／又はペアリング手順完了を示すメッセージをシステム制御機２１０に伝送できる。また、システム制御機２１０は、受信されたペアリングモードへの進入完了及び／又はペアリング手順完了を示すメッセージを端末２２０に伝送できる。これに対する応答として、端末２２０は、画面にセンサ機器２０１に対応するゲートウェイ２００のペアリングモードへの進入が完了したことを示す情報を表示したり、センサ機器２０１とゲートウェイ２００のペアリング手順が完了したことを示す情報を表示できる。この時、端末２２０は、システム制御機２１０から受信されたメッセージからセンサ機器２０１に対応するゲートウェイ２００の識別情報を獲得し、多数のゲートウェイ２００−１乃至２００−Ｎのうちどのゲートウェイがペアリングモードに進入したか否かを示す情報を表示できる。また、端末２２０は、システム制御機２１０から受信されたメッセージを基にセンサ機器２０１とゲートウェイ２００のペアリング手順が完了したか否かを示す情報を表示できる。
【００６１】
図５Ｂは、実施形態による無線通信システムにおけるセンサ機器の登録のための手順を図示する。ここでは、第１センサ機器２０１−１と第１ゲートウェイ２００−１がペアリング手順を行う場合を仮定して説明する。下記の実施形態で各ステップは必ずしも順に行われるわけではない。例えば、各ステップの順序が変更されることもでき、少なくとも２つのステップが並列的に行われることもできる。
【００６２】
図５Ｂを参照すると、ステップ５１０にて、第１センサ機器２０１−１と第１ゲートウェイ２００−１は、上記図３乃至図５の実施形態によってペアリングを行う。特に、第１ゲートウェイはペアリング手順の際、第１センサ機器２０１−１にセンサ機器ＩＤを割り当てることができる。第１センサ機器２０１−１は、第１ゲートウェイ２００−１からセンサ機器ＩＤを受信し、受信されたセンサ機器ＩＤを自らのＩＤとして登録できる。
【００６３】
ステップ５１２にて、第１ゲートウェイ２００−１は、第１センサ機器２０１−１とペアリング手順が完了したことを報告するメッセージをシステム制御機２１０に伝送する。実施形態によって、ペアリング完了報告メッセージは、第１ゲートウェイ２００−１がペアリングを行ったセンサ機器のＩＤ情報を含むことができる。
【００６４】
ステップ５１４にて、システム制御機２１０は、センサ機器配置図面及び端末２２０の位置情報に基づいてペアリングされたセンサ機器を確認する。以降、ステップ５１６にて、システム制御機２１０は、第１ゲートウェイ２００−１から受信されたセンサ機器ＩＤを確認されたセンサ機器のＩＤとして登録する。ここで、端末２２０の位置情報は、上記図３の３１２ステップにてセンサ機器とゲートウェイのペアリングモードへの進入のために端末２２０がシステム制御機２１０に伝送した位置情報を意味できる。また、センサ機器配置図面は、設置位置、又は配置情報を含む電子図面を意味する。例えば、システム制御機２１０は、センサ機器が設置された位置情報を含むセンサ機器配置図面を基に端末２２０の位置情報に最も近い位置にあるセンサ機器を確認し、確認されたセンサ機器が第１ゲートウェイ２００−１とペアリングされたセンサ機器であると判定できる。以降、システム制御機２１０は、第１ゲートウェイ２００−１から受信されたセンサ機器ＩＤを確認されたセンサ機器のＩＤとして記憶することができる。より詳細な例としては、システム制御機２１０に記憶されたセンサ機器配置図面が第１領域内に２つのセンサ機器が設置されており、第２領域内に１つのセンサ機器が設置されており、第３領域内に１つのセンサ機器が設置されていることを示す場合を仮定する。システム制御機２１０は、端末２２０の位置情報が第１領域の左下端に近い場合、センサ機器配置図面で第１領域の左下端に位置するセンサ機器が第１ゲートウェイ２００−１とペアリングされたセンサ機器であることを認知できる。システム制御機２１０は、センサ機器配置図面で第１領域の左下端に位置するセンサ機器に第１ゲートウェイ２００−１から受信されたセンサ機器ＩＤをマッピングさせて記憶することができる。
【００６５】
加えて、システム制御機２１０は、図５Ａに示したように、高さ情報を追加的に用いてペアリングされたセンサ機器を確認することができる。例えば、端末２２０の位置情報と同じ位置に存在するセンサ機器が多数個存在したり、又は端末２２０の位置から距離がしきい距離以内のセンサ機器が多数個存在する場合、システム制御機２１０は、端末２２０から追加的に得られた高さ情報に基づいて、第１ゲートウェイ２００−１とペアリングされたセンサ機器を識別できる。
【００６６】
図示していないが、実施形態によれば、システム制御機２１０は、センサ機器のＩＤ登録に対する情報を含むメッセージを端末２２０に伝送できる。例えば、システム制御機２１０は、センサ機器のＩＤ及びセンサ機器の位置情報を含むメッセージを端末２２０に伝送できる。端末２２０は、システム制御機２１０からセンサ機器のＩＤ及び位置情報を含むメッセージが受信されると、端末２２０に記憶されたセンサ機器配置図面で該位置情報を有するセンサ機器に該ＩＤを登録し、センサ機器配置図面上に前記センサ機器のペアリングが完了したことを示すとともに前記センサ機器のＩＤを表示できる。他の例として、システム制御機２１０は、センサ機器のＩＤ及びセンサ機器の位置情報とともに、該センサ機器とペアリングされたゲートウェイの識別情報を含むメッセージを端末２２０に伝送できる。この時、端末２２０は、端末２２０に記憶されたセンサ機器配置図面で該位置情報を有するセンサ機器に該ＩＤを登録し、センサ機器配置図面上にセンサ機器のＩＤ及びセンサ機器のペアリング完了を表示するとともに、該センサ機器とペアリングされたゲートウェイが表示されるようにすることができる。他の例として、システム制御機２１０は、更新されたセンサ機器配置図面を端末２２０に伝送できる。この時、端末２２０は、更新されたセンサ機器配置図面を画面に表示できる。
【００６７】
図６は、一実施形態による無線通信システムで端末の動作手順を図示する。
【００６８】
図６を参照すると、端末２２０は、ステップ６０１にて、管理モード進入イベントが発生したかを判定する。例えば、端末２２０は、画面に表示された管理モード進入アイコン（又はメニュー項目）が選択されたか、又は管理モードへの進入のための特定キーボタンが入力されたか否かを判定する。端末２２０は、管理モードへの進入のためのアイコンが選択されたか、又は管理モードへの進入のための特定キーボタンが入力された場合、管理モード進入イベントが発生したと判定できる。
【００６９】
端末２２０は、ステップ６０３にて、端末の位置情報を獲得する。例えば、端末２２０は、位置情報受信機を介して端末の現在位置情報を獲得できる。
【００７０】
端末２２０は、ステップ６０５にて、端末の位置情報をシステム制御機２１０に伝送する。この時、端末２２０は、無線通信技術によって端末の位置情報をシステム制御機２１０に伝送できる。実施形態によって、端末２２０は、システム制御機２１０にセンサ機器とペアリングするゲートウェイを選択することを要求する信号を生成し、生成された要求信号に端末の位置情報を含めて伝送できる。
【００７１】
端末２２０は、ステップ６０７にて、追加情報獲得イベントが発生したかを決定する。例えば、端末２２０は、ユーザによって追加情報獲得要求アイコン（又はメニュー項目）が選択されたか否かを感知することによって、追加情報獲得イベントが発生したかを決定できる。さらに他の例として、端末２２０は、ユーザによって追加情報を獲得するために利用される構成要素（例：カメラ、ＮＦＣモジュール、又は気圧計等）の駆動が開始したか否かを感知することによって、追加情報獲得イベントが発生したか否かを決定する。
【００７２】
もし、追加情報獲得イベントが発生しなかった場合、端末２２０は、ステップ６１５に進み、しきい時間が経過したか否かを判定する。例えば、端末２２０は、端末の位置情報をシステム制御機２１０に伝送した時点からしきい時間が経過したか否かを判定する。ここで、端末２２０がしきい時間が経過したか否かを判定することは、管理モードで動作する間に周期的に位置情報をシステム制御機２１０に伝送するためである。端末２２０はしきい時間が経過した場合、ステップ６０３に戻り下記ステップを再度行う。
【００７３】
一方、追加情報獲得イベントが発生した場合、端末２２０は、ステップ６０９にて、センサと関連づけられた追加情報を獲得し、ステップ６１１にて、得られたセンサ関連の追加情報をシステム制御機２１０に伝送する。ここで、センサと関連づけられた追加情報は、センサ機器の識別情報、及びセンサ機器の高さ情報を含むことができる。例えば、端末２２０は、カメラによってセンサ機器の識別情報を獲得できる。他の例として、端末２２０は、ＮＦＣモジュールによってセンサ機器の識別情報を獲得できる。さらに他の例として、端末２２０は、気圧計によって気圧情報を測定し、測定された気圧情報に基づいてセンサ機器の高さ情報を獲得できる。実施形態によって、端末２２０は、ステップ６０３の位置情報を獲得した時点で追加情報を獲得することもできる。端末２２０は、位置情報を獲得した時点で追加情報が共に獲得された場合、ステップ６０５にて、位置情報とともに追加情報をシステム制御機２１０に伝送できる。
【００７４】
以降、端末２２０は、ステップ６１３にて、管理モード終了イベントが発生したか否かを判定する。例えば、端末２２０は、画面に表示された管理モード終了アイコン（又はメニュー項目）が選択されたか、又は管理モード終了のための特定キーボタンが入力されたか否かを判定する。端末２２０は、管理モード終了のためのアイコンが選択されたか、又は管理モード終了のための特定キーボタンが入力された場合、管理モード終了イベントが発生したと決定できる。実施形態によって、管理モードへの進入のためのアイコン及び管理モード終了のためのアイコンは同じアイコンであってよいし、互いに異なるアイコンであってもよい。また、管理モードへの進入のためのキーボタンと管理モード終了のためのキーボタンは同じキーボタンであってよいし、互いに異なるキーボタンであってもよい。
【００７５】
管理モード終了イベントが発生しなかった場合、端末２２０は、ステップ６０3に戻り下記ステップを再度行う。一方、管理モード終了イベントが発生した場合、端末２２０は実施形態による動作手順を終了する。
【００７６】
図７は、一実施形態による無線通信システムにおけるシステム制御機の動作手順を図示する。
【００７７】
図７を参照すると、システム制御機２１０は、ステップ７０１にて、端末２２０から位置情報が受信されたか否かを判定する。システム制御機２１０は、端末２２０から位置情報が受信された場合、ステップ７０３にて、位置情報に基づいてゲートウェイを決定する。例えば、システム制御機２１０は、予め記憶された多数のゲートウェイの各々の位置情報と端末２２０の位置情報に基づいて多数のゲートウェイのうち端末２２０と最も近い位置にあるゲートウェイを決定する。システム制御機２１０は、決定されたゲートウェイを端末の現在位置に位置するセンサ機器とペアリングするゲートウェイとして認識できる。加えて、システム制御機２１０は、端末２２０の位置情報と端末２２０に最も近くに位置するゲートウェイの位置情報に基づいて、端末２２０と該ゲートウェイの間の距離を計算し、計算された距離としきい距離とを比較する。この時、計算された距離がしきい距離より大きい場合、システム制御機２１０は、端末２２０の位置情報に対応するゲートウェイがないと判定し、システム制御機２１０は、ステップ７０１に戻り下記ステップを再度行うことができる。一方、計算された距離がしきい距離より小さい又は同じ場合、システム制御機２１０は、該当ゲートウェイを端末２２０の位置情報に対応するゲートウェイであると判定できる。また、システム制御機２１０は、端末２２０から現在時点に受信された位置情報と以前の時点に受信された位置情報とを比較して、現在時点の位置情報と以前の時点の位置情報とが同じ場合、端末２２０の位置情報に対応するゲートウェイ決定動作を省略し、ステップ７０１に戻り下記ステップを再度行うことができる。
【００７８】
システム制御機２１０は、ステップ７０５にて、決定されたゲートウェイにペアリングモードへの進入を要求する信号を伝送する。例えば、システム制御機２１０は、多数のゲートウェイのうち端末２２０の位置に最も近い位置にあるゲートウェイをペアリングモードに切り替えるための信号を伝送する。
【００７９】
システム制御機２１０は、ステップ７０７にて、端末２２０からセンサ関連の追加情報が受信されたか否かを判定する。例えば、システム制御機２１０は、端末２２０からセンサ機器の識別情報、又はセンサ機器の高さ情報のようなセンサ関連の追加情報が受信されたか否かを感知する。もし、センサ関連の追加情報が受信されなかった場合、システム制御機２１０は、下記ステップ７１１に進む。
【００８０】
一方、センサ関連の追加情報が受信された場合、システム制御機２１０は、ステップ７０９に進み、ステップ７０５にて決定されたゲートウェイにセンサ関連の追加情報を伝送する。ここで、システム制御機２１０は、将来の活用のために、ステップ７０７にて得られたセンサ関連の追加情報とステップ７０１にて得られた端末の位置情報とをマッピングさせて記憶することができる。例えば、システム制御機２１０は、センサ関連の追加情報からセンサ識別情報とセンサ機器の高さ情報を獲得し、端末２２０の位置情報及び高さ情報に基づいてセンサ機器の位置情報（例：緯度、傾度、高度情報等）を生成及び記憶することができる。システム制御機２１０は、センサ識別情報とセンサ機器の位置情報とをマッピングさせて記憶することができ、かかる情報に基づいて３Ｄ図面上にセンサ機器の位置を表示できる。実施形態によって、システム制御機２１０は、ステップ７０３の位置情報を受信した時点でセンサ関連の追加情報を共に受信することもできる。システム制御機２１０は、位置情報を受信した時点で追加情報が共に受信された場合、ステップ７０５にて、位置情報とともにセンサ関連の追加情報を該当ゲートウェイに伝送できる。
【００８１】
システム制御機２１０は、ステップ７１１にて、ゲートウェイからセンサ機器ＩＤが受信されたか否かを感知する。例えば、システム制御機２１０は、ステップ７０５にて決定されたゲートウェイからゲートウェイとペアリングされたセンサ機器のＩＤを含むペアリング完了報告メッセージが受信されたか否かを感知する。もし、ゲートウェイからセンサ機器ＩＤが受信されなかった場合、システム制御機２１０は、ステップ７０１に戻ることができる。
【００８２】
一方、ゲートウェイからセンサ機器ＩＤが受信された場合、システム制御機２１０は、ステップ７１３にて、端末から受信された位置情報に基づいてゲートウェイとペアリングされたセンサ機器を判定する。例えば、システム制御機２１０は、センサ機器配置図面と端末の位置情報に基づいて、端末の位置に最も近いセンサ機器を識別し、識別されたセンサ機器をゲートウェイとペアリングされたセンサ機器であると判定する。
【００８３】
以降、ステップ７１５にて、システム制御機２１０は、ゲートウェイから受信されたセンサ機器ＩＤをゲートウェイとペアリングされたと確認されたセンサ機器のＩＤとして登録する。例えば、システム制御機２１０は、センサ機器の設置位置、又は配置情報を含むセンサ機器配置図面上で確認されたセンサ機器のＩＤをマッピングさせて記憶することができる。
【００８４】
加えて、実施形態によって、システム制御機２１０は、センサ機器のＩＤ登録に対する情報を含むメッセージを端末に伝送できる。例えば、システム制御機２１０は、第１位置情報を有するセンサ機器のＩＤを示すメッセージを端末に伝送できる。他の例として、システム制御機２１０は、更新されたセンサ機器配置図面を端末２２０に伝送できる。
【００８５】
図８は、一実施形態による無線通信システムにおけるゲートウェイの動作手順を図示する。
【００８６】
図８を参照すると、ゲートウェイ２００は、ステップ８０１にて、システム制御機２１０からペアリングモード進入要求信号が受信されたか否かを判定する。例えば、ゲートウェイ２００は、ペアリングモードで動作しない間にシステム制御機２１０からペアリングモードに切り替えて動作することを要求する信号が受信されたか否かを判定する。
【００８７】
ゲートウェイ２００は、システム制御機２１０からペアリングモード進入要求信号が受信された場合、ステップ８０３にて、ペアリングモードに進入する。ここで、ペアリングモードは、少なくとも１つのセンサ機器２０１とペアリング手順を行うためにペアリング要求信号を伝送したり、又はペアリング要求信号の受信が可能な状態を意味できる。
【００８８】
ゲートウェイ２００は、ステップ８０５にて、システム制御機２１０からセンサ関連の追加情報が受信されたか否かを判定する。例えば、ゲートウェイ２００は、システム制御機２１０からセンサ機器の識別情報、又はセンサ機器の高さ情報のようなセンサ関連の追加情報が受信されたか否かを感知する。もし、センサ関連の追加情報が受信されなかった場合、ゲートウェイ２００は、ステップ８１１に進み、ペアリングするセンサ機器をスキャンする。例えば、ゲートウェイ２００は、ペアリング要求信号が受信されることを感知することによって、ペアリングするセンサ機器をスキャンできる。以降、ゲートウェイ２００は、ステップ８０９に進み、ステップ８１１にてスキャンされたセンサ機器とペアリング手順を行う。
【００８９】
一方、センサ関連の追加情報が受信された場合、ゲートウェイ２００は、ステップ８０７にて、センサ関連の追加情報に基づいてペアリングするセンサ機器をスキャンできる。例えば、ゲートウェイ２００は、センサ関連の追加情報からセンサ識別情報とセンサ機器の高さ情報を獲得し、得られたセンサ識別情報と同じセンサ識別情報を有するペアリング要求信号の受信を感知することによって、ペアリングするセンサ機器をスキャンできる。以降、ゲートウェイ２００は、ステップ８０９に進み、ステップ８０７にてスキャンされたセンサ機器とペアリング手順を行う。ゲートウェイ２００は、スキャンされたセンサ機器とのペアリングの際、スキャンされたセンサ機器にＩＤを割り当てることができる。
【００９０】
以降、ゲートウェイ２００は、ステップ８１３にて、ペアリングされたセンサ機器のＩＤ情報をシステム制御機に伝送する。例えば、ゲートウェイ２００は、ペアリングされたセンサ機器のＩＤ情報を含むペアリング完了報告メッセージをシステム制御機に伝送できる。
【００９１】
以降、ゲートウェイ２００は、本発明の実施形態による手順を終了する。
【００９２】
加えて、ゲートウェイ２００は、ペアリングされたセンサ機器をセンサ関連の追加情報に基づいて制御できる。例えば、ゲートウェイ２００は、ペアリングされたセンサ機器の高さ情報に基づいて、各センサ機器を制御するための制御情報を生成できる。例えば、制御情報は、各センサ機器の高さ情報に基づいた温度制御情報、又は湿度制御情報を含むことができる。
【００９３】
図９は、一実施形態による無線通信システムにおけるゲートウェイとセンサ機器のペアリング手順を図示する。
【００９４】
図９に示すように、ゲートウェイ２００−１は、ステップ９００にて、ビーコン信号を放送する。例えば、ゲートウェイ２００−１は、システム制御機２１０の要求に応じてペアリングモードに切り替えた後、ゲートウェイ２００−１の存在を示すためにゲートウェイ２００−１の情報を含むビーコン信号を放送する。ゲートウェイ２００−１は、予め設定された所定時間の間、周期的にビーコン信号を放送できる。ゲートウェイ２００−１は、ビーコン信号を放送した後 、ペアリング要求信号が受信されたか否かを感知できる。
【００９５】
センサ機器２０１−１は、ユーザ制御によってペアリングモードで動作し、ゲートウェイ２００−１からビーコン信号を受信することができる。センサ機器２０１−１は、ステップ９１０にて、ゲートウェイ２００−１にペアリング要求信号を伝送する。実施形態によって、センサ機器２０１−１はビーコン信号に含まれた情報に基づいて、ゲートウェイ２００−１が自らとペアリング可能な機器であるか否かを判定できる。また、実施形態によって、ペアリング要求信号は、センサ機器２０１−１の識別情報を含むことができる。例えば、ペアリング要求信号は、ＭＡＣアドレス、ＰＩＮ、ＱＲコード（登録商標）、及びシリアルナンバーのうちいずれか１つであることができる。
【００９６】
ゲートウェイ２００−１は、ペアリング要求信号を受信した後、ステップ９２０にて、ペアリング要求信号を伝送したセンサ機器２０１−１にペアリング応答信号を伝送できる。実施形態によって、ゲートウェイ２００−１は、システム制御機２１０から得られたセンサ機器の識別情報とペアリング要求信号に含まれた識別情報とを比較して、ペアリング要求信号を伝送したセンサ機器２０１−１がシステム制御機２１０によってペアリングが要求されたセンサ機器であることを確認することができる。例えば、ゲートウェイ２００−１は、システム制御機２１０から得られたセンサ機器の識別情報とペアリング要求信号に含まれた識別情報とが同じ場合、ペアリング要求信号を伝送したセンサ機器２０１−１にペアリングが可能であることを示すペアリング応答信号を伝送できる。一方、ゲートウェイ２００−１は、システム制御機２１０から得られたセンサ機器の識別情報とペアリング要求信号に含まれた識別情報とが同じでない場合、ペアリング要求信号を伝送したセンサ機器２０１−１にペアリングが不可能であることを示すペアリング応答信号を伝送することができ、又はペアリング応答信号を伝送しなくてもよい。
【００９７】
以降、センサ機器２０１−１とゲートウェイ２００−１は、ステップ９３０にて、通信に必要な各種情報を交換できる。例えば、センサ機器２０１−１とゲートウェイ２００−１は、通信のために必要な識別情報、暗号化キー、及びその他情報などを交換できる。ここで、通信のための識別情報は、ゲートウェイ２００がセンサ機器２０１−１との通信のために割り当てるセンサ機器２０１−１のＩＤを含むことができる。また、暗号化キーはゲートウェイ２００とセンサ機器２０１−１のペアリングが完了した後、通信時に必要なキーを含むことができる。さらに、その他情報はセンサ機器２０１に関連付けられた追加情報を含むことができる。
【００９８】
以降、センサ機器２０１−１とゲートウェイ２００−１は、ペアリング手順を完了し、通信できる。上記図９のペアリング手順は、本開示の実施形態に対する理解を助けるために簡略に示したものであって、本開示の実施形態らはこれに限定されない。例えば、ペアリング手順は、図９に示すステップの他にも追加的なステップを含むことができる。また、図９に示す各ステップは１つ以上のステップに区分されることができる。例えば、図９のステップ９３０は、識別情報交換ステップ、暗号化キー交換ステップ、その他情報交換ステップなどに区分されることができる。
【００９９】
以下、本開示の他の実施形態では、ペアリングを必要としない多数の空調機器を設置する際に、設置された空調機器を登録及び通信可能な状態に切り替えるための方案について説明する。以下、説明の便宜のために空調機器がＳＡＣ（Ｓｙｓｔｅｍ  Ａｉｒ  Ｃｏｎｄｉｔｉｏｎｅｒ）であることを仮定して説明する。しかし、以下で説明される実施形態はＳＡＣに限定されない。例えば、以下で説明される実施形態は、システム制御機と無線又は有線で通信可能な空調機器、又は電子機器に同じ方式で適用されることができる。
【０１００】
図１０は、他の実施形態による無線通信システムにおける空調機器を登録する手順を図示する。
【０１０１】
図１０を参照すると、端末１０２０は、ステップ１０３０にて、ユーザの制御によって端末の位置情報を獲得する。例えば、端末１０２０は、ユーザ制御によって空調機器を登録するためのモードに進入して動作し、端末１０２０の現在位置情報を獲得する。この時、端末１０２０は画面に多数のＳＡＣの設置位置、又は配置情報を示す電子図面を表示できる。
【０１０２】
端末１０２０は、ステップ１０３２にて、端末の現在位置情報をシステム制御機１０１０に伝送する。例えば、端末１０２０は、端末の現在位置情報に対応する空調機器１０００の識別情報の伝送を要求するために、端末の現在位置情報をシステム制御機１０１０に伝送できる。
【０１０３】
システム制御機１０１０は、ステップ１０３４にて、端末の位置情報に基づいてＳＡＣを決定する。例えば、システム制御機１０１０は、多数のＳＡＣの設置位置、又は配置情報を示す予め記憶された電子図面で端末１０２０の位置情報に対応する位置に設置されたＳＡＣ１０００を選択できる。この時、電子図面は多数のＳＡＣの設置位置及び各ＳＡＣの識別情報を含むことができる。
【０１０４】
システム制御機１０１０は、ステップ１０３６にて、決定されたＳＡＣ１０００の識別情報を端末１０２０に伝送する。システム制御機１０１０は、予め記憶された電子図面で決定されたＳＡＣ１０００の識別情報を獲得し、得られたＳＡＣ１０００の識別情報を端末１０２０に伝送する。実施形態によって、システム制御機１０１０は、ステップ１０３６にて、ＳＡＣ１０００の識別情報とともにＳＡＣ１０００の環境設定情報（ｃｏｎｆｉｇｕｒａｔｉｏｎ  ｉｎｆｏｒｍａｔｉｏｎ）を端末１０２０に伝送できる。ここで、環境設定情報はＳＡＣの動作に必要な多様な情報を含むことができる。
【０１０５】
システム制御機１０１０からＳＡＣ１０００の識別情報を受信した端末１０２０は、ステップ１０３８にて、ＳＡＣ１０００に識別情報登録を要求する信号を伝送する。例えば、端末１０２０は、ＩＲ（ｉｎｆｒａｒｅｄ  ｒａｙ）又はビームフォーミング技術に基づいて、特定の方向に位置する該当ＳＡＣ１０００に識別情報登録を要求する信号を伝送できる。この時、識別情報登録を要求する信号は、システム制御機１０１０から受信されたＳＡＣ１０００の識別情報を含むべきである。実施形態によって、システム制御機１０１０からＳＡＣ１０００の識別情報及びＳＡＣ１０００の環境設定情報が共に受信された場合、端末は、ステップ１０３８にて、ＳＡＣ１０００の識別情報及びＳＡＣ１０００の環境設定情報をＳＡＣ１０００に伝送できる。
【０１０６】
端末１０２０から識別情報登録要求信号を受信したＳＡＣ１０００は、ステップ１０４０にて、識別情報を登録する。例えば、ＳＡＣ１０００は、受信された識別情報登録要求信号から自らの識別情報を獲得及び記憶することができる。また、ＳＡＣ１０００は、端末１０２０から環境設定情報が受信された場合、環境設定情報によってＳＡＣ１０００はＳＡＣに含まれた各構成要素の状態を制御するか、又は各構成要素に対する設定値を制御できる。
【０１０７】
ＳＡＣ１０００は、識別情報登録が完了すると、ステップ１０４２にて、登録完了を示す信号をシステム制御機１０１０に伝送できる。ここで、登録完了を示す信号はＳＡＣ１０００の識別情報を含むことができる。ここで、登録完了を示す信号がＳＡＣ１０００の識別情報を含むことは、システム制御機１０１０が登録完了を示す信号がＳＡＣ１０００から受信されたものであると認知できるようにするためである。また、ＳＡＣ１０００は、ステップ１０４４にて、端末１０２０に識別情報の登録が完了したことを示す登録応答信号を伝送できる。実施形態によって、ＳＡＣ１０００はステップ１０４４を省略できる。ここで、識別情報登録が完了したＳＡＣ１０００はシステム制御機１０１０から制御信号を受信し、受信された制御信号によって動作できる。
【０１０８】
システム制御機１０１０は、ステップ１０４２にて、ＳＡＣ１０００から登録完了を示す信号が受信された場合、ＳＡＣ１０００の識別情報登録が完了したことを示す情報を記憶する。実施形態によって、システム制御機１０１０は、ＳＡＣ１０００の識別情報登録が正常に行われたことを示す信号を端末１０２０に伝送できる。システム制御機１０１０は、ＳＡＣ１０００の識別情報に基づいて、ＳＡＣ１０００の動作を制御するための制御信号を伝送できる。
【０１０９】
端末１０２０は、ステップ１０４４にて、ＳＡＣ１０００から登録応答信号が受信された場合、画面に表示された電子図面上に該当位置のＳＡＣ１０００の識別情報が正常に登録されたことを示すメッセージ又はグラフィック効果を表示できる。端末１０２０は、ステップ１０３８にて識別情報登録要求信号を伝送した時点からしきい時間以内に登録応答信号が受信されなかった場合、ＳＡＣ１０００に識別情報登録を要求する信号を再送できる。すなわち、端末１０２０は、登録応答信号が受信されるまで、周期的にＳＡＣ１０００に識別情報登録を要求する信号を伝送できる。
【０１１０】
実施形態によって、端末１０２０は、ステップ１０４４の登録応答信号の代わりにシステム制御機１０１０からＳＡＣ１０００の識別情報登録が正常に行われたことを示す信号を受信することができる。端末１０２０は、システム制御機１０１０からＳＡＣ１０００の識別情報登録が正常に行われたことを示す信号が受信された場合、画面に表示された電子図面上に該当位置のＳＡＣ１０００の識別情報が正常に登録されたことを示すメッセージ又はグラフィック効果を表示できる。また、端末１０２０は、ステップ１０３８にて識別情報登録要求信号を伝送した時点からしきい時間以内にシステム制御機１０１０からＳＡＣ１０００の識別情報登録が正常に行われたことを示す信号が受信されなかった場合、ＳＡＣ１０００に識別情報登録を要求する信号を再送できる。
【０１１１】
上述のように、端末１０２０の位置情報に基づいて該当ＳＡＣの識別情報を獲得し、端末１０２０が該当ＳＡＣに識別情報を伝送することによって、容易にＳＡＣ識別情報を登録できる。例えば、ユーザが電子図面でＳＡＣ１０００を直接的に認識及び選択する動作、及びユーザがＳＡＣ１０００にＩＤを直接入力する動作なしで、ＳＡＣの識別情報を登録できる。また、本開示では、端末が該当ＳＡＣに識別情報を伝送することによって、システム制御機１０１０は、ＳＡＣ１０００に動作を制御する制御信号を伝送でき、ＳＡＣ１０００は、自らに対する制御信号を受信し、受信された制御信号によって動作できる。
【０１１２】
図１１は、他の実施形態による無線通信システムにおける端末の動作手順を図示する。
【０１１３】
図１１を参照すると、端末１０２０は、ステップ１１０１にて、登録モード進入イベントが発生したか否かを決定する。例えば、端末１０２０は、画面に表示された登録モード進入アイコン（又はメニュー項目）が選択されたか、又は登録モード進入のための特定キーボタンが入力されたか否かを判定する。端末１０２０は、登録モード進入のためのアイコンが選択されたか、又は登録モード進入のための特定キーボタンが入力された場合、登録モード進入イベントが発生したと判定できる。ここで、登録モードは、空調機器を登録するためのモードを意味する。実施形態によって、端末１０２０は、登録モードへ進む時、画面に多数のＳＡＣの設置位置、又は配置情報を示す電子図面を表示できる。
【０１１４】
端末１０２０は、ステップ１１０３にて、端末の位置情報を獲得する。例えば、端末１０２０は、位置情報受信機を介して端末の現在位置情報を獲得できる。
【０１１５】
端末１０２０は、ステップ１１０５にて、端末の位置情報をシステム制御機１０１０に伝送する。この時、端末１０２０は、無線通信技術によって端末の位置情報をシステム制御機１０１０に伝送できる。実施形態によって、端末１０２０は、システム制御機１０１０に端末の現在位置情報に対応するＳＡＣ１０００の識別情報を要求する信号を伝送できる。
【０１１６】
端末１０２０は、ステップ１１０７にて、システム制御機１０１０からＳＡＣ１０００の識別情報を受信する。この時、端末１０２０は、無線通信技術によってシステム制御機１０１０から識別情報を受信することができる。実施形態によって、端末１０２０は、ＳＡＣ１０００の識別情報とともにＳＡＣ１０００の環境設定情報を受信することができる。
【０１１７】
端末１０２０は、ステップ１１０９にて、受信されたＳＡＣ識別情報を含む登録要求メッセージをＳＡＣ１０００に伝送する。実施形態によって、端末１０２０は、ＩＲ（ｉｎｆｒａｒｅｄ  ｒａｙ）又はビームフォーミング技術に基づいて、特定方向に位置する該当ＳＡＣ１０００に識別情報登録を要求する信号を伝送できる。また、端末１０２０は、ステップ１１０７にて、ＳＡＣ１０００の識別情報とともにＳＡＣ１０００の環境設定情報が受信された場合、ステップ１１０９にてＳＡＣ１０００の識別情報及びＳＡＣ１０００の環境設定情報を含む登録要求メッセージをＳＡＣ１０００に伝送できる。
【０１１８】
端末１０２０は、ステップ１１１１にて、端末１０２０は、ＳＡＣ１０００の識別情報の登録が完了したか否かを感知する。例えば、端末１０２０は、ＳＡＣ１０００から識別情報の登録完了を示す登録応答メッセージが受信されたか否か、又はシステム制御機１０１０からＳＡＣ１０００の識別情報登録が完了したことを示す通知メッセージが受信されたか否かを感知できる。例えば、端末１０２０は、ＳＡＣ１０００から登録応答メッセージが受信された場合、ＳＡＣ１０００の識別情報登録が完了したことを感知できる。また、端末１０２０は、システム制御機１０１０からＳＡＣ１０００の登録が完了したことを示す通知メッセージが受信された場合、ＳＡＣ１０００の識別情報登録が完了したことを感知できる。もし、端末１０２０は、ＳＡＣ１０００又はシステム制御機１０１０から登録完了を示すメッセージが受信されなかった場合、ステップ１１０９に戻り、ＳＡＣ１０００に識別情報を含む登録要求メッセージを再送できる。
【０１１９】
一方、識別情報の登録が完了したと感知された場合、端末１０２０は、ステップ１１１３にて、ユーザに該当ＳＡＣの登録完了を知らせることができる。例えば、端末１０２０は、ＳＡＣ１０００の識別情報が正常に登録されたことを示すグラフィック効果を表示したり、メッセージを表示できる。この時、グラフィック効果又はメッセージは多数のＳＡＣの位置、又は配置情報を示す電子図面上に表示されることができる。他の例として、端末１０２０は、ＳＡＣ１０００の識別情報が正常に登録されたことを示すために音声信号を出力したり、振動を発生させることができる。
【０１２０】
以降、端末１０２０は、ステップ１１１５にて、登録モード終了イベントが発生したか否かを感知する。例えば、端末１０２０は、画面に表示された登録モード終了アイコン（又はメニュー項目）が選択されたか、又は登録モード終了のための特定キーボタンが入力されたか否かを判定する。端末１０２０は、登録モード終了のためのアイコンが選択されたか、又は登録モード終了のための特定キーボタンが入力された場合、登録モード終了イベントが発生したと決定できる。実施形態によって、登録モード進入のためのアイコン及び登録モード終了のためのアイコンは同じアイコンであってよいし、互いに異なるアイコンであってもよい。また、登録モード進入のためのキーボタンと登録モード終了のためのキーボタンは、同じキーボタンであってよいし、互いに異なるキーボタンであってもよい。
【０１２１】
登録モード終了イベントが発生しなかった場合、端末１０２０は、ステップ１１１７に進み、しきい時間が経過したか否かを判定する。例えば、端末１０２０は、端末の位置情報をシステム制御機１０１０に伝送した時点からしきい時間が経過したか否かを判定する。ここで、端末１０２０がしきい時間が経過したか否かを判定することは、管理モードで動作する間に周期的に位置情報をシステム制御機１０１０に伝送するためである。端末１０２０は、しきい時間が経過した場合、ステップ１１０３に戻り下記ステップを再度行う。
【０１２２】
一方、管理モード終了イベントが発生した場合、端末１０２０は、本開示の実施形態による動作手順を終了する。
【０１２３】
図１２は、他の実施形態による無線通信システムにおけるシステム制御機の動作手順を図示する。
【０１２４】
図１２を参照すると、システム制御機１０１０は、ステップ１２０１にて、端末１０２０から位置情報が受信されたか否かを判定する。システム制御機１０１０は、端末１０２０から位置情報が受信された場合、ステップ１２０３にて、位置情報に基づいてＳＡＣを決定する。例えば、システム制御機１０１０は、多数のＳＡＣの位置、又は配置情報を示す電子図面で各ＳＡＣの位置情報を確認する。以降、システム制御機１０１０は、端末１０２０の位置情報に基づいて多数のＳＡＣのうち端末１０２０と最も近い位置にあるＳＡＣを決定できる。加えて、システム制御機１０１０は、端末１０２０の位置情報及び端末１０２０に最も近くに位置するＳＡＣの位置情報に基づいて、端末１０２０と該当ＳＡＣの間の距離を計算し、計算された距離としきい距離とを比較する。この時、計算された距離がしきい距離より大きい場合、システム制御機１０１０は、端末１０２０の位置情報に対応するＳＡＣがないと判定し、システム制御機１０１０は、ステップ１２０１に戻り下記ステップを再度行うことができる。一方、計算された距離がしきい距離より小さい又は同じ場合、システム制御機１０１０は、該当ＳＡＣを端末１０２０の位置情報に対応するＳＡＣであると判定できる。また、システム制御機１０１０は、端末１０２０から現在時点に受信された位置情報と以前の時点に受信された位置情報とを比較して、現在時点の位置情報と以前の時点の位置情報とが同じ場合、端末１０２０の位置情報に対応するＳＡＣを決定する動作を省略し、ステップ１２０１に戻り下記ステップを再度行うことができる。
【０１２５】
システム制御機１０１０は、ステップ１２０５にて、決定されたＳＡＣ１０００の識別情報を端末１０２０に伝送する。実施形態によって、システム制御機１０１０は、ＳＡＣ１０００の識別情報及びＳＡＣ１０００に対する環境設定情報を端末１０２０に伝送できる。
【０１２６】
以降、システム制御機１０１０は、ステップ１２０７にて、ＳＡＣから登録完了メッセージを受信することができる。ここで、登録完了メッセージは、ＳＡＣ１０００の識別情報を含むことができる。システム制御機１０１０は、受信された登録完了メッセージに含まれた識別情報に基づいて、受信された登録完了メッセージがＳＡＣ１０００から受信されたことを認知し、ＳＡＣ１０００の識別情報登録が完了したことを認知できる。
【０１２７】
以降、システム制御機１０１０は、ステップ１２０１に戻り下記ステップを再度行うことができる。
【０１２８】
図１３は、他の実施形態による無線通信システムにおける空調機器の動作手順を図示する。
【０１２９】
図１３を参照すると、空調機器であるＳＡＣ１０００は、ステップ１３０１にて、端末１０２０から識別情報を含む登録要求メッセージを受信する。実施形態によって、登録要求メッセージは、ＳＡＣ１０００の識別情報とともにＳＡＣ１０００に対する環境設定情報を含むことができる。
【０１３０】
ＳＡＣ１０００は、ステップ１３０３にて、受信された識別情報を自らの識別情報として登録する。ＳＡＣ１０００は、端末１０２０から識別情報を受信するまで、自らの識別情報を知らない。したがって、ＳＡＣ１０００は、端末１０２０から受信された登録要求メッセージに含まれた識別情報を自らの識別情報として登録できる。また、ＳＡＣ１０００は、登録要求メッセージにＳＡＣ１０００に対する環境設定情報が含まれた場合、環境設定情報に基づいてＳＡＣ１０００のハードウェア的及び／又はソフトウェア的な環境を設定できる。
【０１３１】
以降、ＳＡＣ１０００は、ステップ１３０５にて、システム制御機１０１０に登録完了メッセージを伝送する。ここで、登録完了メッセージは、ＳＡＣ１０００の識別情報を含むことができる。また、ＳＡＣ１０００は、ステップ１３０７にて、端末１０２０に登録応答メッセージを伝送する。例えば、ＳＡＣ１０００は、端末１０２０から受信された登録要求メッセージに対する応答として、登録応答メッセージを端末１０２０に伝送できる。実施形態によって、ＳＡＣ１０００は、ステップ１３０５及びステップ１３０７のうちいずれか１つのステップのみを行うことができる。
【０１３２】
以降、ＳＡＣ１０００は、本開示の他の実施形態による動作手順を終了する。
【０１３３】
図１４は多様な実施形態による無線通信システムにおける端末のブロック構成を図示する。以下で用いられる「…部」、「…器」などの用語は少なくとも１つの機能や動作を処理する単位を意味し、これはハードウェアやソフトウェア、又は、ハードウェア及びソフトウェアの結合で具現され得る。ここで、端末は、端末２２０、及び端末１０２０のうち少なくとも１つの端末を含む意味である。
【０１３４】
図１４を参照すると、端末は、制御部１４００、通信部１４１０、入出力部１４２０、センサ１４３０、及び記憶部１４４０を含んで構成されることができる。
【０１３５】
制御部１４００は、少なくとも１つのプロセッサを含んで構成されることができる。制御部１４００は、端末の全般的な動作を制御及び処理する。制御部１４００は、機器設置制御部１４０１を含み、機器設置制御部１４０１を介してユーザの制御によってセンサ機器とゲートウェイの間のペアリングのために必要な各種情報をシステム制御機に伝送するための機能を処理する。例えば、機器設置制御部１４０１は、ユーザ制御によってセンサ機器管理モードへ進む時、端末の位置情報を周期的に獲得し、得られた情報をシステム制御機に伝送するように制御できる。また、機器設置制御部１４０１は、センサ機器に対する識別情報を獲得し、得られた識別情報をシステム制御機に伝送するための制御動作を行うことができる。ここで、センサ機器に対する識別情報は、端末に具備されたカメラによって撮影された画像から獲得したり、近距離無線通信技術によって獲得できる。また、機器設置制御部１４０１は、センサ機器に対する追加情報を獲得し、得られた追加情報をシステム制御機に伝送するための制御動作を行うことができる。例えば、機器設置制御部１４０１は、気圧計によってセンサ機器に対する高さ情報を獲得し、得られた高さ情報をシステム制御機に伝送するための制御動作を行うことができる。また、他の実施形態によって、機器設置制御部１４０１は、空調機器の登録のための制御動作を行うことができる。例えば、機器設置制御部１４０１は、ユーザ制御によって空調機器に対する登録モードに進入し、端末の位置情報をシステム制御機に伝送するための制御動作を行うことができる。また、機器設置制御部１４０１は、登録モードで動作中にシステム制御機から空調機器の識別情報を獲得できる。他の実施形態によって、機器設置制御部１４０１は、システム制御機機器から得られた空調機器の識別情報を空調機器に伝送できる。この時、機器設置制御部１４０１は、ビームフォーミング通信技術、又はＩＲ（ｉｎｆｒａｒｅｄ  ｒａｙ）通信技術を用いて特定位置の空調機器に空調機器の識別情報を伝送できる。他の実施形態によって、機器設置制御部１４０１は、システム制御機又は空調機器から空調機器の識別情報の登録に成功したことを示す情報を受信することができる。また、機器設置制御部１４０１は、空調機器に識別情報を伝送した後、空調機器の識別情報が登録されたことを示す情報が受信されるまで、空調機器に空調機器の識別情報を伝送する動作を繰り返し行うことができる。また、機器設置制御部１４０１は、空調機器の識別情報の登録に成功したことを示す情報が受信された場合、空調機器の識別情報が登録されたことをユーザに知らせるためにグラフィック効果を表示したり、メッセージを表示したり、音声信号を出力したり、又は振動を発生させるための制御動作を行うことができる。
【０１３６】
通信部１４１０は、センサ機器、空調機器、及びシステム制御機のうち少なくとも１つと通信を接続できる。例えば、通信部１４１０は、無線通信又は有線通信を介してセンサ機器、空調機器、及びシステム制御機のうち少なくとも１つと通信できる。無線通信は、例えば、Ｗｉｆｉ（ｗｉｒｅｌｅｓｓ  ｆｉｄｅｌｉｔｙ）、ＢＴ（Ｂｌｕｅｔｏｏｔｈ（登録商標、以下同じ））、ＮＦＣ（Ｎｅａｒ  Ｆｉｅｌｄ  Ｃｏｍｍｕｎｉｃａｔｉｏｎ）、ＲＦＩＤ（ｒａｄｉｏ  ｆｒｅｑｕｅｎｃｙ  ｉｄｅｎｔｉｆｉｃａｔｉｏｎ）、ＧＰＳ（ｇｌｏｂａｌ  ｐｏｓｉｔｉｏｎｉｎｇ  ｓｙｓｔｅｍ）、ジグビー（Ｚｉｇｂｅｅ）、ＩＲ（ｉｎｆｒａｒｅｄ  ｒａｙ）、Ｚウェーブ（ｚ−ｗａｖｅ）、又はセルラー通信（例：ＬＴＥ、ＬＴＥ−Ａ、ＣＤＭＡ、ＷＣＤＭＡ（登録商標、以下同じ）、ＵＭＴＳ、ＷｉＢｒｏ又はＧＳＭ（登録商標、以下同じ）等）のうち少なくとも１つを含むことができる。有線通信は、例えば、ＵＳＢ（ｕｎｉｖｅｒｓａｌ  ｓｅｒｉａｌ  ｂｕｓ）、ＨＤＭＩ（登録商標、以下同じ）（ｈｉｇｈ  ｄｅｆｉｎｉｔｉｏｎ  ｍｕｌｔｉｍｅｄｉａ  ｉｎｔｅｒｆａｃｅ）、ＲＳ−２３２（ｒｅｃｏｍｍｅｎｄｅｄ  ｓｔａｎｄａｒｄ  ２３２）又はＰＯＴＳ（ｐｌａｉｎ  ｏｌｄ  ｔｅｌｅｐｈｏｎｅ  ｓｅｒｖｉｃｅ）のうち少なくとも１つを含むことができる。
【０１３７】
入出力部１４２０は、ユーザからデータ又は命令を入力されるための入力部と、制御部１４００の制御に応じて表示を行うための表示部と、を含むことができる。また、入出力部１４２０は、音声データを出力するための音声出力部、及び振動を発生させるための振動発生部を含むことができる。実施形態によって、入出力部１４２０は、タッチセンサを介してユーザ入力を受信し制御部１４００の制御に応じて表示を行うタッチスクリーンで構成されることができる。また、入出力部１４２０、少なくとも１つのキーボタンを含むことができる。
【０１３８】
センサ１４３０は、センサ機器と関連づけられた情報を獲得するためのカメラセンサ、及び気圧計センサのような少なくとも１つのセンサを含むことができる。実施形態によって、カメラセンサは、センサ機器の識別情報を獲得して制御部１４００に提供し、気圧計センサは、気圧情報を測定して制御部１４００に提供できる。
【０１３９】
記憶部１４４０は、端末の動作のために必要な情報及びプログラムを記憶する。実施形態によって、記憶部１４４０は、多数のセンサ機器の位置、又は配置情報を示す電子図面を記憶することができる。また、他の実施形態によって、記憶部１４４０は、多数の空調機器の位置、又は配置情報を示す電子図面を記憶することができる。
【０１４０】
図１５は、多様な実施形態による無線通信システムにおけるシステム制御機のブロック構成を図示する。以下で用いられる「…部」、「…器」などの用語は少なくとも１つの機能や動作を処理する単位を意味し、これはハードウェアやソフトウェア、又は、ハードウェア及びソフトウェアの結合で具現され得る。ここで、システム制御機は、システム制御機２１０、及びシステム制御機１０１０のうち少なくとも１つを含む意味である。
【０１４１】
図１５を参照すると、システム制御機は、制御部１５００、通信部１５１０、及び記憶部１５２０を含んで構成されることができる。
【０１４２】
制御部１５００は、少なくとも１つのプロセッサを含んで構成されることができる。制御部１５００は、システム制御機の全般的な動作を制御及び処理する。制御部１５００は、システム制御部１５０１を含み、システム制御部１５０１を介してゲートウェイとセンサ機器のペアリングのための動作、及びセンサ機器の登録のための制御動作を行うことができる。システム制御部１５０１は、端末から位置情報を受信し、受信された位置情報に基づいて多数のゲートウェイのうち１つのゲートウェイを決定できる。システム制御部１５０１は、決定されたゲートウェイにペアリングモードへの進入を要求する信号を伝送するための制御動作を行うことができる。また、システム制御部１５０１は、端末から多数のセンサ機器のうち少なくとも１つのセンサ機器に対する情報を獲得し、得られた情報を決定されたゲートウェイに伝送できる。センサ機器に対する情報は、センサ機器の識別情報、及びセンサ機器に対する追加情報（例：高さ情報）を含むことができる。システム制御部１５０１は、ゲートウェイからゲートウェイとペアリングされたセンサ機器のＩＤを受信する。また、システム制御部１５０１は、端末から受信された位置情報に基づいて電子図面上でゲートウェイとペアリングされたセンサ機器を決定する。例えば、システム制御部１５０１は、端末の位置情報に基づいて、電子図面上に配置されたセンサ機器のうち端末の位置に最も近いセンサ機器を識別し、識別されたセンサ機器をゲートウェイとペアリングされたセンサ機器であると判定する。また、システム制御部１５０１は、ゲートウェイから受信されたセンサ機器ＩＤをゲートウェイとペアリングされたと識別されたセンサ機器のＩＤとして登録する。例えば、システム制御部１５０１は、センサ機器の設置位置、又は配置情報を含むセンサ機器配置図面上で識別されたセンサ機器にゲートウェイから受信された識別機器のＩＤをマッピングさせて記憶することができる。加えて、実施形態によって、システム制御部１５０１は、センサ機器のＩＤ登録に対する情報を含むメッセージを端末に伝送できる。例えば、システム制御部１５０１は、センサ機器の位置情報とＩＤを含むメッセージを端末に伝送できる。他の例として、システム制御部１５０１は、更新されたセンサ機器配置図面を端末に伝送できる。さらに他の例として、システム制御部１５０１は、センサ機器の位置情報及びＩＤとともに、該当センサ機器とペアリングされたゲートウェイの識別情報（例：ＩＤ）を含むメッセージを端末に伝送できる。
【０１４３】
また、他の実施形態によって、システム制御部１５０１は、端末の位置情報に基づいて空調機器の識別情報を検索し、検索された空調機器の識別情報を端末に伝送できる。また、他の実施形態によって、システム制御部１５０１は、空調機器から空調機器の識別情報が該当空調機器に登録されたことを示す信号を受信することができる。また、他の実施形態によって、システム制御部１５０１は、空調機器の識別情報が登録されたことを示す信号を端末に伝送できる。
【０１４４】
通信部１５１０は、端末、ゲートウェイ、及びセンサ機器と通信を接続できる。例えば、通信部１５１０は、無線通信又は有線通信を介して端末、ゲートウェイ、及びセンサ機器のうち少なくとも１つと通信できる。無線通信は、例えば、Ｗｉｆｉ（ｗｉｒｅｌｅｓｓ  ｆｉｄｅｌｉｔｙ）、ＢＴ（Ｂｌｕｅｔｏｏｔｈ）、ＮＦＣ（Ｎｅａｒ  Ｆｉｅｌｄ  Ｃｏｍｍｕｎｉｃａｔｉｏｎ）、ＲＦＩＤ（ｒａｄｉｏ  ｆｒｅｑｕｅｎｃｙ  ｉｄｅｎｔｉｆｉｃａｔｉｏｎ）、ＧＰＳ（ｇｌｏｂａｌ  ｐｏｓｉｔｉｏｎｉｎｇ  ｓｙｓｔｅｍ）、ジグビー（Ｚｉｇｂｅｅ）、ＩＲ（ｉｎｆｒａｒｅｄ  ｒａｙ）、Ｚウェーブ（ｚ−ｗａｖｅ）、又はセルラー通信（例：ＬＴＥ、ＬＴＥ−Ａ、ＣＤＭＡ、ＷＣＤＭＡ、ＵＭＴＳ、ＷｉＢｒｏ又はＧＳＭ等）のうち少なくとも１つを含むことができる。有線通信は、例えば、ＵＳＢ（ｕｎｉｖｅｒｓａｌ  ｓｅｒｉａｌ  ｂｕｓ）、ＨＤＭＩ（ｈｉｇｈ  ｄｅｆｉｎｉｔｉｏｎ  ｍｕｌｔｉｍｅｄｉａ  ｉｎｔｅｒｆａｃｅ）、ＲＳ−２３２（ｒｅｃｏｍｍｅｎｄｅｄ  ｓｔａｎｄａｒｄ  ２３２）又はＰＯＴＳ（ｐｌａｉｎ  ｏｌｄ  ｔｅｌｅｐｈｏｎｅ  ｓｅｒｖｉｃｅ）のうち少なくとも１つを含むことができる。
【０１４５】
記憶部１５２０は、システム制御機の動作のために必要な情報及びプログラムを記憶する。実施形態によって、記憶部１５２０は、多数のゲートウェイの位置、又は配置情報を示す電子図面を記憶することができる。また、実施形態によって、記憶部１５２０は、多数のセンサ機器の位置、又は配置情報を示す電子図面を記憶することができる。また、実施形態によって、記憶部１５２０は、多数の空調機器の位置、又は配置情報を示す電子図面を記憶することができる。
【０１４６】
図１６は、多様な実施形態による無線通信システムにおけるゲートウェイのブロック構成を図示する。以下で用いられる「…部」、「…器」などの用語は少なくとも１つの機能や動作を処理する単位を意味し、これはハードウェアやソフトウェア、又は、ハードウェア及びソフトウェアの結合で具現され得る。ここで、ゲートウェイはゲートウェイ２００−１乃至２００−Ｎのうちいずれか１つであることができる。
【０１４７】
図１６を参照すると、ゲートウェイは、制御部１６００、通信部１６１０、及び記憶部１６２０を含んで構成されることができる。
【０１４８】
制御部１６００は、少なくとも１つのプロセッサを含んで構成されることができる。制御部１６００は、ゲートウェイの全般的な動作を制御及び処理する。制御部１６００は、センサ制御部１６０１を含み、センサ制御部１６０１を介してセンサとのペアリング手順を行い、ペアリングされたセンサを制御するための動作を行うことができる。センサ制御部１６０１は、システム制御機の制御に応じてペアリングモードに切り替えることによって、１つのセンサ機器とペアリング手順を行うための制御動作を行うことができる。ここで、ペアリングモードは、ペアリング手順を行うためにペアリング要求信号を伝送したり、又はペアリング要求信号の受信が可能な状態を意味できる。また、センサ制御部１６０１は、実施形態によって、システム制御機からセンサ識別情報を受信し、受信されたセンサ識別情報に対応するセンサ機器とペアリング手順を行うための制御動作を行うことができる。また、センサ制御部１６０１は、実施形態によって、ペアリング手順の際にシステム制御機からセンサ機器に関連付けられた追加情報を受信し、ペアリングされた少なくとも１つのセンサ機器を追加情報に基づいて制御できる。例えば、センサ制御部１６０１は、第１センサ機器２０１−１の高さ情報が０ｍで、第２センサ機器２０１−２の高さ情報が２ｍであることを示す情報を獲得し、第１センサ機器２０１−１と第２センサ機器２０１−２の高さの差を基に第１センサ機器２０１−１と第２センサ機器２０１−２に対する制御情報を生成できる。また、センサ制御部１６０１は、スキャンされたセンサ機器とのペアリングの際、スキャンされたセンサ機器にＩＤを割り当てることができる。センサ制御部１６０１は、ペアリングされたセンサ機器のＩＤ情報をシステム制御機に伝送する。例えば、センサ制御部１６０１は、ペアリングされたセンサ機器のＩＤ情報を含むペアリング完了報告メッセージをシステム制御機に伝送できる。
【０１４９】
通信部１６１０は、システム制御機、及びセンサ機器と通信を接続できる。例えば、通信部１６１０は、無線通信又は有線通信を介してシステム制御機、及びセンサ機器のうち少なくとも１つと通信できる。無線通信は、例えば、Ｗｉｆｉ（ｗｉｒｅｌｅｓｓ  ｆｉｄｅｌｉｔｙ）、ＢＴ（Ｂｌｕｅｔｏｏｔｈ）、ＮＦＣ（Ｎｅａｒ  Ｆｉｅｌｄ  Ｃｏｍｍｕｎｉｃａｔｉｏｎ）、ＲＦＩＤ（ｒａｄｉｏ  ｆｒｅｑｕｅｎｃｙ  ｉｄｅｎｔｉｆｉｃａｔｉｏｎ）、ＧＰＳ（ｇｌｏｂａｌ  ｐｏｓｉｔｉｏｎｉｎｇ  ｓｙｓｔｅｍ）、ジグビー（Ｚｉｇｂｅｅ）、ＩＲ（ｉｎｆｒａｒｅｄ  ｒａｙ）、Ｚウェーブ（Ｚ−ｗａｖｅ）、又はセルラー通信（例：ＬＴＥ、ＬＴＥ−Ａ、ＣＤＭＡ、ＷＣＤＭＡ、ＵＭＴＳ、ＷｉＢｒｏ又はＧＳＭ等）のうち少なくとも１つを含むことができる。有線通信は、例えば、ＵＳＢ（ｕｎｉｖｅｒｓａｌ  ｓｅｒｉａｌ  ｂｕｓ）、ＨＤＭＩ（ｈｉｇｈ  ｄｅｆｉｎｉｔｉｏｎ  ｍｕｌｔｉｍｅｄｉａ  ｉｎｔｅｒｆａｃｅ）、ＲＳ−２３２（ｒｅｃｏｍｍｅｎｄｅｄ  ｓｔａｎｄａｒｄ  ２３２）又はＰＯＴＳ（ｐｌａｉｎ  ｏｌｄ  ｔｅｌｅｐｈｏｎｅ  ｓｅｒｖｉｃｅ）のうち少なくとも１つを含むことができる。
【０１５０】
記憶部１６２０は、ゲートウェイの動作のために必要な情報及びプログラムを記憶する。実施形態によって、記憶部１６２０は、ペアリングされたセンサ機器の識別情報、及び制御情報を記憶することができる。
【０１５１】
図１７は、多様な実施形態による無線通信システムにおけるセンサ機器のブロック構成を図示する。以下で用いられる「…部」、「…器」などの用語は少なくとも１つの機能や動作を処理する単位を意味し、これはハードウェアやソフトウェア、又は、ハードウェア及びソフトウェアの結合で具現され得る。ここで、センサ機器は、センサ機器２０１−１乃至２０１−Ｎ、及びＳＡＣ１０００のうちいずれか１つであることができる。
【０１５２】
図１７を参照すると、センサ機器は、制御部１７００、通信部１７１０、記憶部１７２０、及びセンサ１７３０を含んで構成されることができる。
【０１５３】
制御部１７００は、少なくとも１つのプロセッサを含んで構成されることができる。制御部１７００は、ゲートウェイの全般的な動作を制御及び処理する。制御部１７００は、センサ機器の識別情報を登録し、システム制御機の制御に応じて動作するための制御動作を行う。制御部１７００は、少なくとも１つのゲートウェイとペアリングを行い、ペアリングされた少なくとも１つのゲートウェイと通信するための制御動作を行うことができる。制御部１７００は、ユーザによってペアリングモードに進入できる。ここで、ユーザはセンサ機器に対する管理者、又は設置者を含む意味である。例えば、制御部１７００は、ユーザによってペアリングモードへの進入のためのイベントが発生したことが感知された場合、ペアリングモードに進入するための制御動作を行うことができる。ここで、ペアリングモードへの進入のためのイベントは、物理的なボタンが入力されたり、又はソフトウェア的なメニュー項目が選択されることを含むことができる。実施形態によって、制御部１７００は、識別情報を伝送できる。例えば、センサ機器２０１は、近距離無線通信技術（例：ＮＦＣ（Ｎｅａｒ  Ｆｉｅｌｄ  Ｃｏｍｍｕｎｉｃａｔｉｏｎ））によって端末に識別情報を伝送できる。また、実施形態によって、制御部１７００は、ゲートウェイとのペアリング手順の際に自らのＩＤを獲得し、得られたＩＤを自らのＩＤとして登録できる。
【０１５４】
通信部１７１０は、システム制御機、端末、及びゲートウェイのうち少なくとも１つと通信できる。例えば、通信部１７１０は、無線通信又は有線通信を介してシステム制御機、端末、及びゲートウェイのうち少なくとも１つと通信できる。無線通信は、例えば、Ｗｉｆｉ（ｗｉｒｅｌｅｓｓ  ｆｉｄｅｌｉｔｙ）、ＢＴ（Ｂｌｕｅｔｏｏｔｈ）、ＮＦＣ（Ｎｅａｒ  Ｆｉｅｌｄ  Ｃｏｍｍｕｎｉｃａｔｉｏｎ）、ＲＦＩＤ（ｒａｄｉｏ  ｆｒｅｑｕｅｎｃｙ  ｉｄｅｎｔｉｆｉｃａｔｉｏｎ）、ＧＰＳ（ｇｌｏｂａｌ  ｐｏｓｉｔｉｏｎｉｎｇ  ｓｙｓｔｅｍ）、ジグビー（Ｚｉｇｂｅｅ）、ＩＲ（ｉｎｆｒａｒｅｄ  ｒａｙ）、Ｚウェーブ（Ｚ−ｗａｖｅ）、又はセルラー通信（例：ＬＴＥ、ＬＴＥ−Ａ、ＣＤＭＡ、ＷＣＤＭＡ、ＵＭＴＳ、ＷｉＢｒｏ又はＧＳＭ等）のうち少なくとも１つを含むことができる。有線通信は、例えば、ＵＳＢ（ｕｎｉｖｅｒｓａｌ  ｓｅｒｉａｌ  ｂｕｓ）、ＨＤＭＩ（ｈｉｇｈ  ｄｅｆｉｎｉｔｉｏｎ  ｍｕｌｔｉｍｅｄｉａ  ｉｎｔｅｒｆａｃｅ）、ＲＳ−２３２（ｒｅｃｏｍｍｅｎｄｅｄ  ｓｔａｎｄａｒｄ  ２３２）又はＰＯＴＳ（ｐｌａｉｎ  ｏｌｄ  ｔｅｌｅｐｈｏｎｅ  ｓｅｒｖｉｃｅ）のうち少なくとも１つを含むことができる。
【０１５５】
記憶部１７２０は、センサ機器の動作のために必要な情報及びプログラムを記憶する。実施形態によって、記憶部１７２０は、センサ機器の識別情報、及び環境設定情報を記憶することができる。また、記憶部１７２０は、ペアリングされたゲートウェイの情報を記憶することができる。
【０１５６】
図１８は、多様な実施形態による無線通信システムにおける空調機器のブロック構成を図示する。以下で用いられる「…部」、「…器」などの用語は少なくとも１つの機能や動作を処理する単位を意味し、これはハードウェアやソフトウェア、又は、ハードウェア及びソフトウェアの結合で具現され得る。
【０１５７】
図１８を参照すると、空調機器は、制御部１８００、通信部１８１０、記憶部１８２０を含んで構成されることができる。
【０１５８】
制御部１８００は、少なくとも１つのプロセッサを含んで構成されることができる。制御部１８００は、ゲートウェイの全般的な動作を制御及び処理する。制御部１８００は、空調機器の識別情報を登録し、システム制御機の制御に応じて動作するための制御動作を行う。また、実施形態によって、制御部１８００は、端末から自らの識別情報を獲得し、得られた識別情報に対する登録手順を行うことができる。制御部１８００は、識別情報登録が完了したことを示すメッセージをシステム制御機又は端末に伝送できる。
【０１５９】
通信部１８１０は、システム制御機、端末のうち少なくとも１つと通信できる。例えば、通信部１８１０は、無線通信又は有線通信を介してシステム制御機、及び端末のうち少なくとも１つと通信できる。無線通信は、例えば、Ｗｉｆｉ（ｗｉｒｅｌｅｓｓ  ｆｉｄｅｌｉｔｙ）、ＢＴ（Ｂｌｕｅｔｏｏｔｈ）、ＮＦＣ（Ｎｅａｒ  Ｆｉｅｌｄ  Ｃｏｍｍｕｎｉｃａｔｉｏｎ）、ＲＦＩＤ（ｒａｄｉｏ  ｆｒｅｑｕｅｎｃｙ  ｉｄｅｎｔｉｆｉｃａｔｉｏｎ）、ＧＰＳ（ｇｌｏｂａｌ  ｐｏｓｉｔｉｏｎｉｎｇ  ｓｙｓｔｅｍ）、ジグビー（Ｚｉｇｂｅｅ）、ＩＲ（ｉｎｆｒａｒｅｄ  ｒａｙ）、Ｚウェーブ（Ｚ−ｗａｖｅ）、又はセルラー通信（例：ＬＴＥ、ＬＴＥ−Ａ、ＣＤＭＡ、ＷＣＤＭＡ、ＵＭＴＳ、ＷｉＢｒｏ又はＧＳＭ等）のうち少なくとも１つを含むことができる。有線通信は、例えば、ＵＳＢ（ｕｎｉｖｅｒｓａｌ  ｓｅｒｉａｌ  ｂｕｓ）、ＨＤＭＩ（ｈｉｇｈ  ｄｅｆｉｎｉｔｉｏｎ  ｍｕｌｔｉｍｅｄｉａ  ｉｎｔｅｒｆａｃｅ）、ＲＳ−２３２（ｒｅｃｏｍｍｅｎｄｅｄ  ｓｔａｎｄａｒｄ  ２３２）又はＰＯＴＳ（ｐｌａｉｎ  ｏｌｄ  ｔｅｌｅｐｈｏｎｅ  ｓｅｒｖｉｃｅ）のうち少なくとも１つを含むことができる。
【０１６０】
記憶部１８２０は、空調機器の動作のために必要な情報及びプログラムを記憶する。実施形態によって、記憶部１８２０は、空調機器の識別情報、及び環境設定情報を記憶することができる。
【０１６１】
本開示の請求項又は明細書に記載された実施形態による方法は、ハードウェア、ソフトウェア、又はハードウェアとソフトウェアの組み合わせの形態で具現される（ｉｍｐｌｅｍｅｎｔｅｄ）ことができる。
【０１６２】
そういったソフトウェアは、コンピュータ読み取り可能な記録媒体に記憶されることができる。コンピュータ読み取り可能な記録媒体は、少なくとも１つ以上のプログラム（ソフトウェアモジュール）、電子装置で少なくとも１つ以上のプロセッサによって実行される時、電子装置が本開示の方法を実施するようにする命令ら（ｉｎｓｔｒｕｃｔｉｏｎｓ）を含む少なくとも１つ以上のプログラムを記憶する。
【０１６３】
このようなソフトウェアは、揮発性（ｖｏｌａｔｉｌｅ）又はＲＯＭ（Ｒｅａｄ  Ｏｎｌｙ  Ｍｅｍｏｒｙ）のような不揮発性（ｎｏｎ−ｖｏｌａｔｉｌｅ）記憶装置の形態で、又はＲＡＭ（ｒａｎｄｏｍ  ａｃｃｅｓｓ  ｍｅｍｏｒｙ）、メモリチップ（ｍｅｍｏｒｙ  ｃｈｉｐｓ）、装置又は集積回路（ｉｎｔｅｇｒａｔｅｄ  ｃｉｒｃｕｉｔｓ）のようなメモリの形態で、又はコンパクトディスクロム（ＣＤ−ＲＯＭ：Ｃｏｍｐａｃｔ  Ｄｉｓｃ−ＲＯＭ）、デジタル多目的ディスク（ＤＶＤｓ：Ｄｉｇｉｔａｌ  Ｖｅｒｓａｔｉｌｅ  Ｄｉｓｃｓ）、磁気ディスク（ｍａｇｎｅｔｉｃ  ｄｉｓｋ）又は磁気テープ（ｍａｇｎｅｔｉｃ  ｔａｐｅ）などのような光学又は磁気的に読み取り可能な媒体に、記憶されることができる。
【０１６４】
記録装置及び記録メディアは、実行される時に一実施形態を具現する命令を含むプログラム又はプログラムを記憶することに適したマシン−読み取り可能な記録手段の実施形態である。実施形態らは、本明細書の請求項のうちいずれか一項に請求される装置又は方法を具現するためのコードを含むプログラム、及びそういったプログラムを記憶するマシン−読み取り可能な記録媒体を提供する。さらには、そういったプログラムらは有線又は無線接続を介して伝達される通信信号のようなある媒体によって電子的に伝達されることができ、実施形態らは同等のものを適切に含む。
【０１６５】
上述した具体的な実施形態で、開示に含まれる構成要素は提示された具体的な実施形態によって単数又は複数で表現された。しかし、単数又は複数の表現は説明の便宜のために提示した状況に適するように選択されたものであって、上述した実施形態が単数又は複数の構成要素に制限されるわけではなく、複数で表現された構成要素であっても単数で構成されてよいし、単数で表現された構成要素であっても複数で構成されてよい。
【０１６６】
一方、発明の説明では具体的な実施形態について説明したが、多様な実施形態が内包する技術的思想の範囲から逸脱しない限り、様々な変形が可能であることは無論である。よって、本発明の範囲は、説明された実施形態に限定されて定められるべきでなく、後述する請求範囲のみならずその請求範囲と均等のものによって定められるべきである。
【符号の説明】
【０１６７】
１００−１  ゲートウェイ
１０１−１  センサ
１０１−２  センサ
２００  ゲートウェイ
２０１  センサ機器
２１０  システム制御機
２２０  端末
１０００  空調機器
１０１０  システム制御機
１０２０  端末
１４００  制御部
１４０１  機器設置制御部
１４１０  通信部
１４２０  入出力部
１４３０  センサ
１４４０  記憶部
１５００  制御部
１５０１  システム制御部
１５１０  通信部
１５２０  記憶部
１６００  制御部
１６０１  センサ制御部
１６１０  通信部
１６２０  記憶部
１７００  制御部
１７１０  通信部
１７２０  記憶部
１７３０  センサ
１８００  制御部
１８１０  通信部
１８２０  記憶部
【図１】
2019507998.tif 000003
【図２】
2019507998.tif 000004
【図３】
2019507998.tif 000005
【図４】
2019507998.tif 000006
【図５Ａ】
2019507998.tif 000007
【図５Ｂ】
2019507998.tif 000008
【図６】
2019507998.tif 000009
【図７】
2019507998.tif 000010
【図８】
2019507998.tif 000011
【図９】
2019507998.tif 000012
【図１０】
2019507998.tif 000013
【図１１】
2019507998.tif 000014
【図１２】
2019507998.tif 000015
【図１３】
2019507998.tif 000016
【図１４】
2019507998.tif 000017
【図１５】
2019507998.tif 000018
【図１６】
2019507998.tif 000019
【図１７】
2019507998.tif 000020
【図１８】
2019507998.tif 000021
【手続補正書】
【提出日】平成30年7月13日(2018.7.13)
【手続補正１】
【補正対象書類名】特許請求の範囲
【補正対象項目名】全文
【補正方法】変更
【補正の内容】
【特許請求の範囲】
【請求項１】
システム制御機の動作方法であって、
第１電子装置から前記第１電子装置の位置情報を受信する過程と、
前記第１電子装置の位置情報に基づいて前記第１電子装置の周辺に位置する第３電子装置とペアリングを行う第２電子装置を決定する過程と、
前記決定された第２電子装置にペアリングモード動作を要求する信号を伝送する過程と、を含む方法。
【請求項２】
前記第１電子装置から前記第３電子装置の識別情報を受信する過程と、
前記第２電子装置が前記第３電子装置を識別するようにするために前記第３電子装置の識別情報を前記第２電子装置に伝送する過程と、をさらに含み、
前記識別情報はＰＩＮ（Ｐｅｒｓｏｎａｌ  Ｉｄｅｎｔｉｆｉｃａｔｉｏｎ  Ｎｕｍｂｅｒ）、ＭＡＣ（Ｍｅｄｉｕｍ  Ａｃｃｅｓｓ  Ｃｏｎｔｒｏｌ）アドレス、ＱＲコード（登録商標）（Ｑｕｉｃｋ  Ｒｅｓｐｏｎｓｅ  Ｃｏｄｅ）、及びシリアルナンバーのうち少なくとも１つを含む請求項１に記載の方法。
【請求項３】
前記第１電子装置の位置情報に基づいて前記第１電子装置の周辺に位置する第３電子装置とペアリングを行う第２電子装置を決定する過程は、
前記第１電子装置の位置情報に基づいて多数の第２電子装置のうち前記第１電子装置の位置に最も近接した第２電子装置を決定する過程を含む請求項１に記載の方法。
【請求項４】
前記第２電子装置からペアリングされた前記第３電子装置の識別情報を含むペアリング完了報告メッセージを受信する過程と、
互いに異なる位置情報に対応する多数の第３電子装置のうち前記第１電子装置の位置に最も近接した第３電子装置を識別する過程と、
前記第２電子装置から受信された識別情報を前記識別された第３電子装置の識別情報として登録する過程と、
前記第３電子装置の識別情報及び前記第３電子装置の位置情報を含む登録メッセージを前記第１電子装置に伝送する過程と、をさらに含む請求項１に記載の方法。
【請求項５】
前記登録メッセージは前記第３電子装置とペアリングされた第２電子装置の情報をさらに含む請求項４に記載の方法。
【請求項６】
前記第１電子装置から前記第１電子装置の高さ情報を受信する過程と、
前記互いに異なる位置情報に対応する多数の第３電子装置のうち前記第１電子装置の位置に最も近接した第３電子装置を識別する過程と、
前記第１電子装置の位置情報及び高さ情報に基づいて、前記互いに異なる位置情報に対応する多数の第３電子装置のうち１つの第３電子装置を識別する過程と、をさらに含む請求項４に記載の方法。
【請求項７】
システム制御機であって、
通信部と、
プロセッサと、を含み、
前記プロセッサは、第１電子装置から前記第１電子装置の位置情報を受信し、前記第１電子装置の位置情報に基づいて前記第１電子装置の周辺に位置する第３電子装置とペアリングを行う第２電子装置を決定し、前記決定された第２電子装置にペアリングモード動作を要求する信号を伝送するように制御するシステム制御機。
【請求項８】
前記プロセッサは、前記第１電子装置から前記第３電子装置の識別情報を受信し、前記第２電子装置が前記第３電子装置を識別するようにするために前記第３電子装置の識別情報を前記第２電子装置に伝送するように制御し、
前記識別情報はＰＩＮ（Ｐｅｒｓｏｎａｌ  Ｉｄｅｎｔｉｆｉｃａｔｉｏｎ  Ｎｕｍｂｅｒ）、ＭＡＣ（Ｍｅｄｉｕｍ  Ａｃｃｅｓｓ  Ｃｏｎｔｒｏｌ）アドレス、ＱＲコード（登録商標）（Ｑｕｉｃｋ  Ｒｅｓｐｏｎｓｅ  Ｃｏｄｅ）、及びシリアルナンバーのうち少なくとも１つを含む請求項７に記載のシステム制御機。
【請求項９】
前記プロセッサは、前記第１電子装置の位置情報に基づいて多数の第２電子装置のうち前記第１電子装置の位置に最も近接した第２電子装置を決定する請求項７に記載のシステム制御機。
【請求項１０】
前記プロセッサは、前記第２電子装置からペアリングされた前記第３電子装置の識別情報を含むペアリング完了報告メッセージを受信し、互いに異なる位置情報に対応する多数の第３電子装置のうち前記第１電子装置の位置に最も近接した第３電子装置を識別し、前記第２電子装置から受信された識別情報を前記識別された第３電子装置の識別情報として登録し、前記第３電子装置の識別情報及び前記第３電子装置の位置情報を含む登録メッセージを前記第１電子装置に伝送するように制御する請求項７に記載のシステム制御機。
【請求項１１】
前記登録メッセージは前記第３電子装置とペアリングされた第２電子装置の情報をさらに含む請求項１０に記載のシステム制御機。
【請求項１２】
前記プロセッサは、前記第１電子装置から前記第１電子装置の高さ情報を受信し、前記第１電子装置の位置情報及び高さ情報に基づいて、前記互いに異なる位置情報に対応する多数の第３電子装置のうち前記第１電子装置の位置に最も近接した第３電子装置を識別する請求項１０に記載のシステム制御機。
【請求項１３】
第１電子装置であって、
通信部と、
プロセッサと、を含み、
前記プロセッサは、第１電子装置の位置情報を獲得し、前記第１電子装置の周辺に位置する第３電子装置とペアリングを行う第２電子装置をペアリングモードで動作させるために前記第１電子装置の位置情報をシステム制御機に伝送するように制御する第１電子装置。
【請求項１４】
前記プロセッサは、前記第３電子装置の識別情報を獲得し、前記第２電子装置が前記第３電子装置を識別するようにするために前記得られた識別情報を前記システム制御機に伝送するように制御し、
前記識別情報はＰＩＮ（Ｐｅｒｓｏｎａｌ  Ｉｄｅｎｔｉｆｉｃａｔｉｏｎ  Ｎｕｍｂｅｒ）、ＭＡＣ（Ｍｅｄｉｕｍ  Ａｃｃｅｓｓ  Ｃｏｎｔｒｏｌ）アドレス、ＱＲコード（登録商標）（Ｑｕｉｃｋ  Ｒｅｓｐｏｎｓｅ  Ｃｏｄｅ）、及びシリアルナンバーのうち少なくとも１つを含む請求項１３に記載の第１電子装置。
【請求項１５】
前記プロセッサは、前記第１電子装置の高さ情報を獲得し、前記第２電子装置又は前記システム制御機が前記第３電子装置を識別するようにするために前記第１電子装置の高さ情報を前記システム制御機に伝送するように制御する請求項１３に記載の第１電子装置。
【請求項１６】
ディスプレイをさらに含み、
前記プロセッサは、前記システム制御機から前記第３電子装置の識別情報及び位置情報を含むメッセージを受信し、互いに異なる位置情報に対応する多数の第３電子装置のうち前記受信された位置情報に対応する前記第３電子装置に前記受信された識別情報をマッピングして記憶し、前記多数の第３電子装置が設置された位置を示す図面上に前記第３電子装置の識別情報とともに前記第３電子装置のペアリングが完了したことを表示するように制御する請求項１３に記載の第１電子装置。
【請求項１７】
前記メッセージは、前記第３電子装置とペアリングされた第２電子装置の情報をさらに含み、
前記プロセッサは、前記第２電子装置の情報に基づいて前記図面上に前記第２電子装置とペアリングされた第２電子装置を表示するように制御する請求項１６に記載の第１電子装置。
【請求項１８】
前記プロセッサは、第１電子装置の位置情報をシステム制御機に伝送し、前記システム制御機から前記位置情報に対応する第２電子装置の識別情報を含む第１信号を受信し、前記第２電子装置に前記識別情報を含む第２信号を伝送するように制御する請求項１３に記載の第１電子装置。
【請求項１９】
前記プロセッサは、前記第２電子装置及び前記システム制御機のうちいずれか１つから第２電子装置の識別情報が登録されたことを示す信号が受信されたか否かを判定し、前記識別情報が登録されたことを示す信号が受信されるまで、前記第２電子装置に前記識別情報を周期的に伝送するように制御する請求項１８に記載の第１電子装置。
【請求項２０】
前記第１信号及び前記第２信号は、前記第２電子装置の環境設定に対する情報をさらに含む請求項１８に記載の第１電子装置。 
【国際調査報告】
2019507998.tif 000022
2019507998.tif 000023
2019507998.tif 000024
2019507998.tif 000025
2019507998.tif 000026
2019507998.tif 000027
2019507998.tif 000028